(57)【要約】  マシンタイプ通信（ＭＴＣ）デバイスによるカバレージエンハンスメント（ＣＥ）レベルが、制御チャネル送信において受信機に送信されるべき情報の冗長バージョンの数を示す第１のバンドリングレベルを識別し得る。ＣＥレベルは、共有チャネル送信において受信機に送信されるべき情報の冗長バージョンの数を示す第２のバンドリングレベルをも識別し得る。ＣＥレベルはまた、第１のバンドリングレベルと第２のバンドリングレベルとに基づいて、制御情報フィールド中で、第２のバンドリングレベルを示すためのインジケータを設定し得る。
2018529254.tif 000002
【特許請求の範囲】
【請求項１】
ワイヤレス通信の方法であって、
制御チャネル送信において受信機に送信されるべき情報の冗長バージョンの数を示す第１のバンドリングレベルを識別することと、
共有チャネル送信において前記受信機に送信されるべき情報の冗長バージョンの数を示す第２のバンドリングレベルを識別することと、
前記第１のバンドリングレベルと前記第２のバンドリングレベルとに少なくとも部分的に基づいて、制御情報フィールド中で、前記第２のバンドリングレベルを示すためのインジケータを設定することと、
を備える、方法。
【請求項２】
前記インジケータを設定することが、さらに、前記第２のバンドリングレベルと前記第１のバンドリングレベルと前記インジケータ中に含まれている情報との間のマッピングに少なくとも部分的に基づく、請求項１に記載の方法。
【請求項３】
前記マッピングがワイヤレス通信のための仕様において確立される、請求項２に記載の方法。
【請求項４】
前記マッピングが、前記制御チャネル送信より前に前記受信機に送信される、請求項２に記載の方法。
【請求項５】
前記マッピングが、システム情報ブロック（ＳＩＢ）または無線リソース制御（ＲＲＣ）構成情報のうちの１つまたは複数中で送信される、請求項４に記載の方法。
【請求項６】
前記制御情報フィールドが、前記受信機に与えられるダウンリンク制御情報（ＤＣＩ）中に含まれる情報フィールドである、請求項２に記載の方法。
【請求項７】
前記第１のバンドリングレベルに少なくとも部分的に基づいて、前記情報の送信より前に前記情報をスクランブルするためのスクランブリングシーケンスを選択することと、
前記選択されたスクランブリングシーケンスに少なくとも部分的に基づいて前記情報をスクランブルすることと、
をさらに備える、請求項１に記載の方法。
【請求項８】
前記情報が、データと、前記データに関連する巡回冗長検査（ＣＲＣ）とを備え、ここにおいて、前記情報を前記スクランブルすることが、前記選択されたスクランブリングシーケンスを使用して前記巡回冗長検査（ＣＲＣ）をスクランブルすることを備える、請求項７に記載の方法。
【請求項９】
前記スクランブリングシーケンスが、さらに、前記受信機の無線ネットワーク一時識別子（ＲＮＴＩ）に少なくとも部分的に基づいて選択される、請求項７に記載の方法。
【請求項１０】
ワイヤレス通信の方法であって、
制御情報フィールド中で、１つまたは複数の共有チャネル送信において受信されるべき送信のためのバンドリングレベルを示すためのインジケータを受信することと、前記バンドリングレベルが、前記１つまたは複数の共有チャネル送信中に含まれるべき情報の冗長バージョンの数を示す、
受信される制御チャネル送信の第１のバンドリングレベルを決定することと、
前記第１のバンドリングレベルと前記インジケータとに少なくとも部分的に基づいて、第１の共有チャネル送信の第２のバンドリングレベルを決定することと、
を備える、方法。
【請求項１１】
前記第２のバンドリングレベルを前記決定することが、さらに、前記第２のバンドリングレベルと前記第１のバンドリングレベルと前記インジケータ中に含まれている情報との間のマッピングに少なくとも部分的に基づく、請求項１０に記載の方法。
【請求項１２】
前記マッピングがワイヤレス通信のための仕様において確立される、請求項１１に記載の方法。
【請求項１３】
前記マッピングが、前記制御チャネル送信より前に受信される、請求項１１に記載の方法。
【請求項１４】
前記マッピングが、システム情報ブロック（ＳＩＢ）または無線リソース制御（ＲＲＣ）構成情報のうちの１つまたは複数中で受信される、請求項１３に記載の方法。
【請求項１５】
前記制御情報フィールドが、送信機からのダウンリンク制御情報（ＤＣＩ）中で受信される情報フィールドである、請求項１０に記載の方法。
【請求項１６】
第１のスクランブリングシーケンスを使用して前記受信される制御チャネル送信の少なくとも一部分をデスクランブルすることと、
前記第１のスクランブリングシーケンスを使用した、前記受信される制御チャネル送信の少なくとも前記一部分の成功したデスクランブリングに少なくとも部分的に基づいて、前記第１の共有チャネル送信のために使用される前記第２のバンドリングレベルを決定することと、
をさらに備える、請求項１０に記載の方法。
【請求項１７】
前記情報が、データと、前記データに関連する巡回冗長検査（ＣＲＣ）とを備え、ここにおいて、前記第１の送信の前記一部分をデスクランブルすることが、前記第１のスクランブリングシーケンスを使用して前記ＣＲＣをデスクランブルすることを備える、請求項１６に記載の方法。
【請求項１８】
前記第１のスクランブリングシーケンスが、前記受信される送信の受信機の無線ネットワーク一時識別子（ＲＮＴＩ）に少なくとも部分的に基づく、請求項１７に記載の方法。
【請求項１９】
ワイヤレス通信のための装置であって、
制御チャネル送信において受信機に送信されるべき情報の冗長バージョンの数を示す第１のバンドリングレベルを識別するための手段と、
共有チャネル送信において前記受信機に送信されるべき情報の冗長バージョンの数を示す第２のバンドリングレベルを識別するための手段と、
前記第１のバンドリングレベルと前記第２のバンドリングレベルとに少なくとも部分的に基づいて、制御情報フィールド中で、前記第２のバンドリングレベルを示すためのインジケータを設定するための手段と、
を備える、装置。
【請求項２０】
前記インジケータを設定するための前記手段が、さらに、前記第２のバンドリングレベルと前記第１のバンドリングレベルと前記インジケータ中に含まれている情報との間のマッピングに少なくとも部分的に基づいて前記インジケータを設定するための手段を含む、請求項１９に記載の装置。
【請求項２１】
前記マッピングがワイヤレス通信のための仕様において確立される、請求項２０に記載の装置。
【請求項２２】
前記マッピングが、前記制御チャネル送信より前に前記受信機に送信される、請求項２０に記載の装置。
【請求項２３】
前記マッピングが、システム情報ブロック（ＳＩＢ）または無線リソース制御（ＲＲＣ）構成情報のうちの１つまたは複数中で送信される、請求項２２に記載の装置。
【請求項２４】
前記制御情報フィールドが、前記受信機に与えられるダウンリンク制御情報（ＤＣＩ）中に含まれる情報フィールドである、請求項２０に記載の装置。
【請求項２５】
前記第１のバンドリングレベルに少なくとも部分的に基づいて、前記情報の送信より前に前記情報をスクランブルするためのスクランブリングシーケンスを選択するための手段と、
前記選択されたスクランブリングシーケンスに少なくとも部分的に基づいて前記情報をスクランブルするための手段と、
をさらに備える、請求項１９に記載の装置。
【請求項２６】
前記情報が、データと、前記データに関連する巡回冗長検査（ＣＲＣ）とを備え、ここにおいて、前記情報を前記スクランブルすることが、前記選択されたスクランブリングシーケンスを使用して前記巡回冗長検査（ＣＲＣ）をスクランブルすることを備える、請求項２５に記載の装置。
【請求項２７】
前記スクランブリングシーケンスが、さらに、前記受信機の無線ネットワーク一時識別子（ＲＮＴＩ）に少なくとも部分的に基づいて選択される、請求項２５に記載の装置。
【請求項２８】
ワイヤレス通信のための装置であって、
制御情報フィールド中で、１つまたは複数の共有チャネル送信において受信されるべき送信のためのバンドリングレベルを示すためのインジケータを受信するための手段と、前記バンドリングレベルが、前記１つまたは複数の共有チャネル送信中に含まれるべき情報の冗長バージョンの数を示す、
受信される制御チャネル送信の第１のバンドリングレベルを決定するための手段と、
前記第１のバンドリングレベルと前記インジケータとに少なくとも部分的に基づいて、第１の共有チャネル送信の第２のバンドリングレベルを決定するための手段と
を備える、装置。
【請求項２９】
前記第２のバンドリングレベルを決定するための前記手段が、さらに、前記第２のバンドリングレベルと前記第１のバンドリングレベルと前記インジケータ中に含まれている情報との間のマッピングに少なくとも部分的に基づいて前記第２のバンドリングレベルを決定するための手段を含む、請求項２８に記載の装置。
【請求項３０】
前記マッピングがワイヤレス通信のための仕様において確立される、請求項２９に記載の装置。
【請求項３１】
前記マッピングが、前記制御チャネル送信より前に受信される、請求項２９に記載の装置。
【請求項３２】
前記マッピングが、システム情報ブロック（ＳＩＢ）または無線リソース制御（ＲＲＣ）構成情報のうちの１つまたは複数中で受信される、請求項３１に記載の装置。
【請求項３３】
前記制御情報フィールドが、送信機からのダウンリンク制御情報（ＤＣＩ）中で受信される情報フィールドである、請求項２８に記載の装置。
【請求項３４】
第１のスクランブリングシーケンスを使用して前記受信される制御チャネル送信の少なくとも一部分をデスクランブルするための手段と、
前記第１のスクランブリングシーケンスを使用した、前記受信される制御チャネル送信の少なくとも前記一部分の成功したデスクランブリングに少なくとも部分的に基づいて、前記第１の共有チャネル送信のために使用される前記第２のバンドリングレベルを決定するための手段と
をさらに備える、請求項２８に記載の装置。
【請求項３５】
前記情報が、データと、前記データに関連する巡回冗長検査（ＣＲＣ）とを備え、ここにおいて、前記第１の送信の前記一部分をデスクランブルすることが、前記第１のスクランブリングシーケンスを使用して前記ＣＲＣをデスクランブルすることを備える、請求項３４に記載の装置。
【請求項３６】
前記第１のスクランブリングシーケンスが、前記受信される送信の受信機の無線ネットワーク一時識別子（ＲＮＴＩ）に少なくとも部分的に基づく、請求項３５に記載の装置。
【請求項３７】
ワイヤレス通信のための装置であって、
プロセッサと、
前記プロセッサと電子通信しているメモリと、
前記メモリに記憶され、前記プロセッサによって実行されたとき、前記装置に、
制御チャネル送信において受信機に送信されるべき情報の冗長バージョンの数を示す第１のバンドリングレベルを識別することと、
共有チャネル送信において前記受信機に送信されるべき情報の冗長バージョンの数を示す第２のバンドリングレベルを識別することと、
前記第１のバンドリングレベルと前記第２のバンドリングレベルとに少なくとも部分的に基づいて、制御情報フィールド中で、前記第２のバンドリングレベルを示すためのインジケータを設定することと
を行わせるように動作可能な命令と
を備える、装置。
【請求項３８】
前記装置に前記インジケータを設定することを行わせるように動作可能な前記命令が、さらに、前記装置に、前記第２のバンドリングレベルと前記第１のバンドリングレベルと前記インジケータ中に含まれている情報との間のマッピングに少なくとも部分的に基づいて前記インジケータを設定させるように動作可能である、請求項３７に記載の装置。
【請求項３９】
前記マッピングが、前記制御チャネル送信より前に前記受信機に送信される、請求項３８に記載の装置。
【請求項４０】
前記マッピングが、システム情報ブロック（ＳＩＢ）または無線リソース制御（ＲＲＣ）構成情報のうちの１つまたは複数中で送信される、請求項３９に記載の装置。
【請求項４１】
前記命令が、前記装置に、
前記第１のバンドリングレベルに少なくとも部分的に基づいて、前記情報の送信より前に前記情報をスクランブルするためのスクランブリングシーケンスを選択することと、
前記選択されたスクランブリングシーケンスに少なくとも部分的に基づいて前記情報をスクランブルすることと
を行わせるように動作可能である、請求項３７に記載の装置。
【請求項４２】
前記情報が、データと、前記データに関連する巡回冗長検査（ＣＲＣ）とを備え、ここにおいて、前記情報を前記スクランブルすることが、前記選択されたスクランブリングシーケンスを使用して前記巡回冗長検査（ＣＲＣ）をスクランブルすることを備える、請求項４１に記載の装置。
【請求項４３】
ワイヤレス通信のための装置であって、
プロセッサと、
前記プロセッサと電子通信しているメモリと、
前記メモリに記憶され、前記プロセッサによって実行されたとき、前記装置に、
制御情報フィールド中で、１つまたは複数の共有チャネル送信において受信されるべき送信のためのバンドリングレベルを示すためのインジケータを受信することと、前記バンドリングレベルが、前記１つまたは複数の共有チャネル送信中に含まれるべき情報の冗長バージョンの数を示す、
受信される制御チャネル送信の第１のバンドリングレベルを決定することと、
前記第１のバンドリングレベルと前記インジケータとに少なくとも部分的に基づいて、第１の共有チャネル送信の第２のバンドリングレベルを決定することと
を行わせるように動作可能な命令と
を備える、装置。
【請求項４４】
前記装置に前記第２のバンドリングレベルを決定することを行わせるように動作可能な前記命令が、さらに、前記装置に、前記第２のバンドリングレベルと前記第１のバンドリングレベルと前記インジケータ中に含まれている情報との間のマッピングに少なくとも部分的に基づいて前記第２のバンドリングレベルを決定させるように動作可能である、請求項４３に記載の装置。
【請求項４５】
前記マッピングが、前記制御チャネル送信より前に受信される、請求項４４に記載の装置。
【請求項４６】
前記マッピングが、システム情報ブロック（ＳＩＢ）または無線リソース制御（ＲＲＣ）構成情報のうちの１つまたは複数中で受信される、請求項４５に記載の装置。
【請求項４７】
前記命令が、前記装置に、
第１のスクランブリングシーケンスを使用して前記受信される制御チャネル送信の少なくとも一部分をデスクランブルすることと、
前記第１のスクランブリングシーケンスを使用した、前記受信される制御チャネル送信の少なくとも前記一部分の成功したデスクランブリングに少なくとも部分的に基づいて、前記第１の共有チャネル送信のために使用される前記第２のバンドリングレベルを決定することと
を行わせるように動作可能である、請求項４３に記載の装置。
【請求項４８】
前記情報が、データと、前記データに関連する巡回冗長検査（ＣＲＣ）とを備え、ここにおいて、前記第１の送信の前記一部分をデスクランブルすることが、前記第１のスクランブリングシーケンスを使用して前記ＣＲＣをデスクランブルすることを備える、請求項４７に記載の装置。
【発明の詳細な説明】
【技術分野】
【０００１】
相互参照
[0001]本特許出願は、各々が本出願の譲受人に譲渡された、２０１６年７月２１日に出願された、「Bundle Size Determination for Narrowband Communication」と題する、Ｒｉｃｏ  Ａｌｖａｒｉｎｏらによる米国特許出願第１５／２１６，４４２号、２０１５年９月２３日に出願された、「Bundle Size Determination for Narrowband Communication」と題する、Ｒｉｃｏ  Ａｌｖａｒｉｎｏらによる米国仮特許出願第６２／２２２，６８６号、および２０１５年７月３１日に出願された、「Bundle Size Determination for Narrowband Communication」と題する、Ｒｉｃｏ  Ａｌｖａｒｉｎｏらによる米国仮特許出願第６２／１９９，７９９号の優先権を主張する。
【背景技術】
【０００２】
[0002]以下は、一般にワイヤレス通信に関し、より詳細には、狭帯域通信のためのバンドルサイズ決定に関する。
【０００３】
[0003]ワイヤレス通信システムは、音声、ビデオ、パケットデータ、メッセージング、ブロードキャストなど、様々なタイプの通信コンテンツを提供するために広く展開されている。
これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ(登録商標)）システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかのタイプのワイヤレスデバイスは、自動化された通信を提供し得る。自動化されたワイヤレスデバイスは、マシンツーマシン（Ｍ２Ｍ）通信またはマシンタイプ通信（ＭＴＣ）をインプリメントするものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。
【０００５】
[0005]ＭＴＣデバイスは、情報を収集するかまたは機械の自動化された挙動を可能にするために、使用され得る。ＭＴＣデバイスのための適用例の例としては、スマートメータリング、インベントリ監視、水位監視、機器監視、ヘルスケア監視、野生生物監視、天候および地質学的事象監視、フリート(fleet)管理およびトラッキング、リモートセキュリティ検知、物理的アクセス制御、ならびにトランザクションベースのビジネスの課金がある。
【０００６】
[0006]いくつかのワイヤレス通信システムは、システムロバストネスを増加させるカバレージエンハンスメント（ＣＥ）技法を採用し得る。より高いレベルのＣＥがより低いレベルのＣＥに関してより信頼できる通信を与えるように、異なるレベルのＣＥがあり得る。カバレージエンハンスメントは、たとえば、（たとえば、最高１５ｄＢの）電力ブースティングと、ビームフォーミングと、送信の冗長バージョン（redundant version）を与えるための送信時間間隔（ＴＴＩ）のバンドリングとを含み得る。バンドリングレベルなど、ＣＥレベルを示すことおよびＣＥレベルの決定のための効率的な技法は、ＭＴＣデバイスの総合効率を向上させ得る。
【発明の概要】
【０００７】
[0007]説明される特徴は、一般に、マシンタイプ通信（ＭＴＣ）デバイスによるカバレージエンハンスメント（ＣＥ）レベル決定のための方法、システム、およびデバイスに関する。様々な例では、ＣＥレベルインジケータが制御チャネル送信において与えられ得、制御チャネル送信自体のＣＥレベルに結合されたＣＥレベルインジケータが、後続の共有チャネル送信のためのＣＥレベルにマッピングされ得る。ＣＥレベル決定は、送信の一部分をスクランブルするために使用されるスクランブリングシーケンスを通してワイヤレスデバイス（たとえば、ＭＴＣデバイス）によって決定され得る。送信をスクランブルするために使用される特定のスクランブリングシーケンスは、送信に関連する、バンドリングレベルなど、ＣＥレベルにマッピングされ得る。送信ＭＴＣデバイスは、ＣＥレベルを選択し、選択されたＣＥレベルに関連するスクランブリングシーケンスを使用して送信し得る。受信ＭＴＣデバイスは、送信を反復的にデスクランブルし、送信をデスクランブルすることに成功したスクランブリングシーケンスに少なくとも部分的に基づいてＣＥレベルを決定し得る。ＣＥレベルは、いくつかの例では、ホッピングパターンにマッピングされ得る。
【０００８】
[0008]ワイヤレス通信の方法が説明される。本方法は、受信機に送信されるべき情報を識別することと、送信されるべき情報の冗長バージョンの数を示すバンドリングレベルを識別することと、バンドリングレベルに少なくとも部分的に基づいて、情報の送信より前に情報をスクランブルするためのスクランブリングシーケンスを選択することと、選択されたスクランブリングシーケンスに少なくとも部分的に基づいて情報をスクランブルすることとを含み得る。
【０００９】
[0009]ワイヤレス通信のための装置が説明される。本装置は、受信機に送信されるべき情報を識別するための手段と、送信されるべき情報の冗長バージョンの数を示すバンドリングレベルを識別するための手段と、バンドリングレベルに少なくとも部分的に基づいて、情報の送信より前に情報をスクランブルするためのスクランブリングシーケンスを選択するための手段と、選択されたスクランブリングシーケンスに少なくとも部分的に基づいて情報をスクランブルするための手段とを含み得る。
【００１０】
[0010]ワイヤレス通信のためのさらなる装置が説明される。本装置は、プロセッサと、プロセッサと電子通信しているメモリと、メモリに記憶され、プロセッサによって実行されたとき、本装置に、受信機に送信されるべき情報を識別することと、送信されるべき情報の冗長バージョンの数を示すバンドリングレベルを識別することと、バンドリングレベルに少なくとも部分的に基づいて、情報の送信より前に情報をスクランブルするためのスクランブリングシーケンスを選択することと、選択されたスクランブリングシーケンスに少なくとも部分的に基づいて情報をスクランブルすることとを行わせるように動作可能な命令とを含み得る。
【００１１】
[0011]ワイヤレス通信のためのコードを記憶する非一時的コンピュータ可読媒体が説明される。コードは、受信機に送信されるべき情報を識別することと、送信されるべき情報の冗長バージョンの数を示すバンドリングレベルを識別することと、バンドリングレベルに少なくとも部分的に基づいて、情報の送信より前に情報をスクランブルするためのスクランブリングシーケンスを選択することと、選択されたスクランブリングシーケンスに少なくとも部分的に基づいて情報をスクランブルすることとを行うために実行可能な命令を含み得る。
【００１２】
[0012]本明細書で説明される方法、装置、または非一時的コンピュータ可読媒体のいくつかの例は、コーディング方式に従って、スクランブルされた情報をコーディングすることと、コーディングされ、スクランブルされた情報を受信機に送信することとを行うためのプロセス、特徴、手段、または命令をさらに含み得る。追加または代替として、いくつかの例では、情報は、データと、データに関連する巡回冗長検査（ＣＲＣ）とを含み得、情報をスクランブルすることは、選択されたスクランブリングシーケンスを使用して巡回冗長検査（ＣＲＣ）をスクランブルすることを含み得る。
【００１３】
[0013]本明細書で説明される方法、装置、または非一時的コンピュータ可読媒体のいくつかの例は、バンドリングレベルに少なくとも部分的に基づいて、情報の部分の送信のための周波数サブバンドを選択するためのホッピングシーケンスを選択するためのプロセス、特徴、手段、または命令をさらに含み得る。いくつかの例では、ホッピングシーケンスは、受信機に送信されるべき情報の最低バンドリングレベルに少なくとも部分的に基づいて選択され得る。
【００１４】
[0014]本明細書で説明される方法、装置、または非一時的コンピュータ可読媒体のいくつかの例では、ＣＲＣは、無線ネットワーク一時識別子（ＲＮＴＩ：radio network temporary identifier）とバンドリングレベルを示す１つまたは複数のビットとを用いてスクランブルされる。追加または代替として、いくつかの例では、情報は、データと、データに関連する巡回冗長検査（ＣＲＣ）とを含み得、情報をスクランブルすることは、選択されたスクランブリングシーケンスを使用してデータとＣＲＣとをスクランブルすることを含み得る。
【００１５】
[0015]本明細書で説明される方法、装置、または非一時的コンピュータ可読媒体のいくつかの例では、スクランブリングシーケンスは、さらに、受信機の無線ネットワーク一時識別子（ＲＮＴＩ）に少なくとも部分的に基づいて選択され得る。追加または代替として、いくつかの例では、スクランブリングシーケンスを選択することは、複数の利用可能なインターリービングシーケンスから、データをインターリーブするためのインターリービングシーケンスを選択することを含み得、情報をスクランブルすることは、選択されたインターリービングシーケンスを使用して情報をインターリーブすることを含み得る。
【００１６】
[0016]本明細書で説明される方法、装置、または非一時的コンピュータ可読媒体のいくつかの例では、情報は、制御チャネル上で送信されるダウンリンク制御情報（ＤＣＩ）を含み得る。
【００１７】
[0017]ワイヤレス通信の方法が説明される。本方法は、第１の送信中に含まれる情報の冗長バージョンの数を示す複数の利用可能なバンドリングレベルを識別することと、第１の送信をデスクランブルするための複数のスクランブリングシーケンスを識別することと、複数のスクランブリングシーケンスの各々が、利用可能なバンドリングレベルのうちの１つに関連する、識別されたスクランブリングシーケンスのうちの第１のスクランブリングシーケンスを使用して第１の送信の少なくとも一部分をデスクランブルすることと、第１のスクランブリングシーケンスを使用した、第１の送信の少なくとも一部分の成功したデスクランブリングに少なくとも部分的に基づいて、第１の送信のために使用されるバンドリングレベルを決定することとを含み得る。
【００１８】
[0018]ワイヤレス通信のための装置が説明される。本装置は、第１の送信中に含まれる情報の冗長バージョンの数を示す複数の利用可能なバンドリングレベルを識別するための手段と、第１の送信をデスクランブルするための複数のスクランブリングシーケンスを識別するための手段と、複数のスクランブリングシーケンスの各々が、利用可能なバンドリングレベルのうちの１つに関連する、識別されたスクランブリングシーケンスのうちの第１のスクランブリングシーケンスを使用して第１の送信の少なくとも一部分をデスクランブルするための手段と、第１のスクランブリングシーケンスを使用した、第１の送信の少なくとも一部分の成功したデスクランブリングに少なくとも部分的に基づいて、第１の送信のために使用されるバンドリングレベルを決定するための手段とを含み得る。
【００１９】
[0019]ワイヤレス通信のためのさらなる装置が説明される。本装置は、プロセッサと、プロセッサと電子通信しているメモリと、メモリに記憶され、プロセッサによって実行されたとき、本装置に、第１の送信中に含まれる情報の冗長バージョンの数を示す複数の利用可能なバンドリングレベルを識別することと、第１の送信をデスクランブルするための複数のスクランブリングシーケンスを識別することと、複数のスクランブリングシーケンスの各々が、利用可能なバンドリングレベルのうちの１つに関連する、識別されたスクランブリングシーケンスのうちの第１のスクランブリングシーケンスを使用して第１の送信の少なくとも一部分をデスクランブルすることと、第１のスクランブリングシーケンスを使用した、第１の送信の少なくとも一部分の成功したデスクランブリングに少なくとも部分的に基づいて、第１の送信のために使用されるバンドリングレベルを決定することとを行わせるように動作可能な命令とを含み得る。
【００２０】
[0020]ワイヤレス通信のためのコードを記憶する非一時的コンピュータ可読媒体が説明される。コードは、第１の送信中に含まれる情報の冗長バージョンの数を示す複数の利用可能なバンドリングレベルを識別することと、第１の送信をデスクランブルするための複数のスクランブリングシーケンスを識別することと、複数のスクランブリングシーケンスの各々が、利用可能なバンドリングレベルのうちの１つに関連する、識別されたスクランブリングシーケンスのうちの第１のスクランブリングシーケンスを使用して第１の送信の少なくとも一部分をデスクランブルすることと、第１のスクランブリングシーケンスを使用した、第１の送信の少なくとも一部分の成功したデスクランブリングに少なくとも部分的に基づいて、第１の送信のために使用されるバンドリングレベルを決定することとを行うために実行可能な命令を含み得る。
【００２１】
[0021]本明細書で説明される方法、装置、または非一時的コンピュータ可読媒体のいくつかの例は、１つまたは複数の利用可能な復号方式を使用して、デスクランブルされた第１の送信の一部分を復号することと、デスクランブルされた第１の送信の一部分が、第１の送信中に含まれる情報の第１の冗長バージョンを含む、情報が成功裏に復号されたかどうかを決定することと、情報が成功裏に復号されたことに少なくとも部分的に基づいて、第１の送信の受信を終了すべきかどうかを決定することとを行うためのプロセス、特徴、手段、または命令をさらに含み得る。追加または代替として、いくつかの例では、第１の送信の受信を終了すべきかどうかを決定することは、バンドリングレベルに少なくとも部分的に基づいて、情報の複数の冗長バージョンが第１の送信中に含まれると決定することと、情報が第１の送信全体の受信より前に成功裏に復号されたとき、第１の送信の受信を終了することとを含み得る。
【００２２】
[0022]本明細書で説明される方法、装置、または非一時的コンピュータ可読媒体のいくつかの例は、巡回冗長検査（ＣＲＣ）に少なくとも部分的に基づいて、情報が成功裏に復号されたであるかどうかを決定することを行うためのプロセス、特徴、手段、または命令をさらに含み得る。追加または代替として、いくつかの例は、第１のスクランブリングシーケンスが、第１の送信の少なくとも一部分をデスクランブルすることに失敗したと決定することと、複数のスクランブリングシーケンスの他のものを使用して第１の送信の少なくとも一部分をデスクランブルすることを反復的に試みることと、複数のスクランブリングシーケンスの他のもののうちのどれが第１の送信の少なくとも一部分のデスクランブリングに成功したかに少なくとも部分的に基づいて、第１の送信のために使用されるバンドリングレベルを決定することとを行うためのプロセス、特徴、手段、または命令を含み得る。
【００２３】
[0023]本明細書で説明される方法、装置、または非一時的コンピュータ可読媒体のいくつかの例は、第１の送信の一部分のための周波数サブバンドを選択するための複数のホッピングシーケンスを識別することと、複数のホッピングシーケンスの各々が、利用可能なバンドリングレベルのうちの１つに関連する、複数の利用可能なバンドリングレベルに少なくとも部分的に基づいて、第１の送信のために使用される第１のホッピングシーケンスを決定することと
を行うためのプロセス、特徴、手段、または命令をさらに含み得る。いくつかの例では、第１のホッピングシーケンスは、複数の利用可能なバンドリングレベルの最低バンドリングレベルに少なくとも部分的に基づいて選択される。
【００２４】
[0024]本明細書で説明される方法、装置、または非一時的コンピュータ可読媒体のいくつかの例では、情報は、データと、データに関連する巡回冗長検査（ＣＲＣ）とを含み得、ここにおいて、第１の送信の一部分をデスクランブルすることは、第１のスクランブリングシーケンスを使用してＣＲＣをデスクランブルすることを含み得る。追加または代替として、いくつかの例では、ＣＲＣは、無線ネットワーク一時識別子（ＲＮＴＩ）とバンドリングレベルを示す１つまたは複数のビットとを用いてスクランブルされる。
【００２５】
[0025]本明細書で説明される方法、装置、または非一時的コンピュータ可読媒体のいくつかの例では、情報は、データと、データに関連する巡回冗長検査（ＣＲＣ）とを含み得、第１の送信の一部分をデスクランブルすることは、第１のスクランブリングシーケンスを使用してデータとＣＲＣとをデスクランブルすることを含み得る。追加または代替として、いくつかの例では、第１のスクランブリングシーケンスは、受信される送信の受信機の無線ネットワーク一時識別子（ＲＮＴＩ）に少なくとも部分的に基づく。
【００２６】
[0026]本明細書で説明される方法、装置、または非一時的コンピュータ可読媒体のいくつかの例は、複数の利用可能なインターリービングシーケンスのうちの第１のインターリービングシーケンスに従って第１の送信をデインターリーブすることによって、第１の送信の一部分をデスクランブルすることと、第１のインターリービングシーケンスに少なくとも部分的に基づいて、第１の送信であるのために使用されるバンドリングレベルを決定することとを行うためのプロセス、特徴、手段、または命令をさらに含み得る。追加または代替として、いくつかの例では、情報は、制御チャネル上で送信されるダウンリンク制御情報（ＤＣＩ）を含み得る。
【００２７】
[0027]ワイヤレス通信の方法が説明される。本方法は、制御チャネル送信において受信機に送信されるべき情報の冗長バージョンの数を示す第１のバンドリングレベルを識別することと、共有チャネル送信において受信機に送信されるべき情報の冗長バージョンの数を示す第２のバンドリングレベルを識別することと、第１のバンドリングレベルと第２のバンドリングレベルとに少なくとも部分的に基づいて、制御情報フィールド中で、第２のバンドリングレベルを示すためのインジケータを設定することとを含み得る。
【００２８】
[0028]ワイヤレス通信のための装置が説明される。本装置は、制御チャネル送信において受信機に送信されるべき情報の冗長バージョンの数を示す第１のバンドリングレベルを識別するための手段と、共有チャネル送信において受信機に送信されるべき情報の冗長バージョンの数を示す第２のバンドリングレベルを識別するための手段と、第１のバンドリングレベルと第２のバンドリングレベルとに少なくとも部分的に基づいて、制御情報フィールド中で、第２のバンドリングレベルを示すためのインジケータを設定するための手段とを含み得る。
【００２９】
[0029]ワイヤレス通信のためのさらなる装置が説明される。本装置は、プロセッサと、プロセッサと電子通信しているメモリと、メモリに記憶され、プロセッサによって実行されたとき、本装置に、制御チャネル送信において受信機に送信されるべき情報の冗長バージョンの数を示す第１のバンドリングレベルを識別することと、共有チャネル送信において受信機に送信されるべき情報の冗長バージョンの数を示す第２のバンドリングレベルを識別することと、第１のバンドリングレベルと第２のバンドリングレベルとに少なくとも部分的に基づいて、制御情報フィールド中で、第２のバンドリングレベルを示すためのインジケータを設定することとを行わせるように動作可能な命令とを含み得る。
【００３０】
[0030]ワイヤレス通信のためのコードを記憶する非一時的コンピュータ可読媒体が説明される。コードは、制御チャネル送信において受信機に送信されるべき情報の冗長バージョンの数を示す第１のバンドリングレベルを識別することと、共有チャネル送信において受信機に送信されるべき情報の冗長バージョンの数を示す第２のバンドリングレベルを識別することと、第１のバンドリングレベルと第２のバンドリングレベルとに少なくとも部分的に基づいて、制御情報フィールド中で、第２のバンドリングレベルを示すためのインジケータを設定することとを行うために実行可能な命令を含み得る。
【００３１】
[0031]本明細書で説明される方法、装置、または非一時的コンピュータ可読媒体のいくつかの例では、インジケータを設定することは、さらに、第２のバンドリングレベルと第１のバンドリングレベルとインジケータ中に含まれている情報との間のマッピングに少なくとも部分的に基づく。追加または代替として、いくつかの例では、マッピングは、制御チャネル送信より前に受信機に送信される。いくつかの例では、マッピングは、システム情報ブロック（ＳＩＢ）または無線リソース制御（ＲＲＣ）構成情報のうちの１つまたは複数中で送信される。追加または代替として、いくつかの例では、マッピングはワイヤレス通信のための仕様において確立される。
【００３２】
[0032]本明細書で説明される方法、装置、または非一時的コンピュータ可読媒体のいくつかの例では、制御情報フィールドは、受信機に与えられるダウンリンク制御情報（ＤＣＩ）中に含まれる情報フィールドである。
【００３３】
[0033]ワイヤレス通信の方法が説明される。本方法は、制御情報フィールド中で、１つまたは複数の共有チャネル送信において受信されるべき送信のためのバンドリングレベルを示すためのインジケータを受信することと、バンドリングレベルが、１つまたは複数の共有チャネル送信中に含まれるべき情報の冗長バージョンの数を示す、受信される制御チャネル送信の第１のバンドリングレベルを決定することと、第１のバンドリングレベルとインジケータとに少なくとも部分的に基づいて、第１の共有チャネル送信の第２のバンドリングレベルを決定することとを含み得る。
【００３４】
[0034]ワイヤレス通信のための装置が説明される。本装置は、制御情報フィールド中で、１つまたは複数の共有チャネル送信において受信されるべき送信のためのバンドリングレベルを示すためのインジケータを受信するための手段と、バンドリングレベルが、１つまたは複数の共有チャネル送信中に含まれるべき情報の冗長バージョンの数を示す、受信される制御チャネル送信の第１のバンドリングレベルを決定するための手段と、第１のバンドリングレベルとインジケータとに少なくとも部分的に基づいて、第１の共有チャネル送信の第２のバンドリングレベルを決定するための手段とを含み得る。
【００３５】
[0035]ワイヤレス通信のためのさらなる装置が説明される。本装置は、プロセッサと、プロセッサと電子通信しているメモリと、メモリに記憶され、プロセッサによって実行されたとき、本装置に、制御情報フィールド中で、１つまたは複数の共有チャネル送信において受信されるべき送信のためのバンドリングレベルを示すためのインジケータを受信することと、バンドリングレベルが、１つまたは複数の共有チャネル送信中に含まれるべき情報の冗長バージョンの数を示す、受信される制御チャネル送信の第１のバンドリングレベルを決定することと、第１のバンドリングレベルとインジケータとに少なくとも部分的に基づいて、第１の共有チャネル送信の第２のバンドリングレベルを決定することとを行わせるように動作可能な命令とを含み得る。
【００３６】
[0036]ワイヤレス通信のためのコードを記憶する非一時的コンピュータ可読媒体が説明される。コードは、制御情報フィールド中で、１つまたは複数の共有チャネル送信において受信されるべき送信のためのバンドリングレベルを示すためのインジケータを受信することと、バンドリングレベルが、１つまたは複数の共有チャネル送信中に含まれるべき情報の冗長バージョンの数を示す、受信される制御チャネル送信の第１のバンドリングレベルを決定することと、第１のバンドリングレベルとインジケータとに少なくとも部分的に基づいて、第１の共有チャネル送信の第２のバンドリングレベルを決定することとを行うために実行可能な命令を含み得る。
【００３７】
[0037]本明細書で説明される方法、装置、または非一時的コンピュータ可読媒体のいくつかの例では、第２のバンドリングレベルを決定することは、さらに、第２のバンドリングレベルと第１のバンドリングレベルとインジケータ中に含まれている情報との間のマッピングに少なくとも部分的に基づく。追加または代替として、いくつかの例では、マッピングは、制御チャネル送信より前に受信される。
【００３８】
[0038]本明細書で説明される方法、装置、または非一時的コンピュータ可読媒体のいくつかの例では、マッピングは、システム情報ブロック（ＳＩＢ）または無線リソース制御（ＲＲＣ）構成情報のうちの１つまたは複数中で受信される。追加または代替として、いくつかの例では、マッピングはワイヤレス通信のための仕様において確立される。
【００３９】
[0039]本明細書で説明される方法、装置、または非一時的コンピュータ可読媒体のいくつかの例では、制御情報フィールドは、送信機からのダウンリンク制御情報（ＤＣＩ）中で受信される情報フィールドである。
【００４０】
[0040]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【図面の簡単な説明】
【００４１】
[0041]本開示の態様は、以下の図を参照して説明される。
【図１】[0042]本開示の様々な態様による、狭帯域通信のためのバンドルサイズ決定をサポートするワイヤレス通信システムの一例を示す図。
【図２】[0043]本開示の様々な態様による、狭帯域通信のためのバンドルサイズ決定をサポートするワイヤレス通信サブシステムの一例を示す図。
【図３】[0044]本開示の様々な態様による、狭帯域通信のためのバンドルサイズ決定をサポートする冗長送信を有する送信の一例を示す図。
【図４】[0045]本開示の様々な態様による、狭帯域通信のためのバンドルサイズ決定をサポートする送信機処理の一例を示す図。
【図５Ａ】[0046]本開示の様々な態様による、狭帯域通信のためのバンドルサイズ決定をサポートする受信機処理の一例を示す図。
【図５Ｂ】[0047]本開示の様々な態様による、バンドルサイズに基づくホッピングシーケンスの例を示す図。
【図６】[0048]本開示の様々な態様による、狭帯域通信のためのバンドルサイズ決定をサポートするプロセスフローの例を示す図。
【図７】本開示の様々な態様による、狭帯域通信のためのバンドルサイズ決定をサポートするプロセスフローの例を示す図。
【図８】[0049]本開示の様々な態様による、狭帯域通信のためのバンドルサイズ決定をサポートするワイヤレスデバイスのブロック図。
【図９】本開示の様々な態様による、狭帯域通信のためのバンドルサイズ決定をサポートするワイヤレスデバイスのブロック図。
【図１０】本開示の様々な態様による、狭帯域通信のためのバンドルサイズ決定をサポートするワイヤレスデバイスのブロック図。
【図１１】[0050]本開示の様々な態様による、狭帯域通信のためのバンドルサイズ決定をサポートするユーザ機器（ＵＥ）を含むシステムのブロック図。
【図１２】[0051]本開示の様々な態様による、狭帯域通信のためのバンドルサイズ決定をサポートするワイヤレスデバイスのブロック図。
【図１３】本開示の様々な態様による、狭帯域通信のためのバンドルサイズ決定をサポートするワイヤレスデバイスのブロック図。
【図１４】本開示の様々な態様による、狭帯域通信のためのバンドルサイズ決定をサポートするワイヤレスデバイスのブロック図。
【図１５】[0052]本開示の様々な態様による、狭帯域通信のためのバンドルサイズ決定をサポートする基地局を含むシステムのブロック図。
【図１６】[0053]本開示の様々な態様による、狭帯域通信のためのバンドルサイズ決定のための方法を示す図。
【図１７】本開示の様々な態様による、狭帯域通信のためのバンドルサイズ決定のための方法を示す図。
【図１８】本開示の様々な態様による、狭帯域通信のためのバンドルサイズ決定のための方法を示す図。
【図１９】本開示の様々な態様による、狭帯域通信のためのバンドルサイズ決定のための方法を示す図。
【図２０】本開示の様々な態様による、狭帯域通信のためのバンドルサイズ決定のための方法を示す図。
【図２１】本開示の様々な態様による、狭帯域通信のためのバンドルサイズ決定のための方法を示す図。
【図２２】本開示の様々な態様による、狭帯域通信のためのバンドルサイズ決定のための方法を示す図。
【発明を実施するための形態】
【００４２】
[0054]ワイヤレスデバイス（たとえば、マシンタイプ通信（ＭＴＣ）デバイス）のカバレージエンハンスメント（ＣＥ）の正確な決定およびシグナリングは、システムロバストネスを増加させ得、ワイヤレス通信ネットワーク中のワイヤレスデバイスの寿命および性能を増加させ得る。ＣＥは、たとえば、特定のデバイスの物理的ロケーションに関連し得る、そのデバイスの無線リンク状態の関数であり得るか、または、そのデバイスの無線リンク状態に関連し得る。ワイヤレスシステムは、ワイヤレスデバイスとの成功した通信の可能性を改善するためにＣＥ技法をインプリメントし得る。いくつかの場合には、ワイヤレスシステムは、異なる（カバレージ拡大とも呼ばれる）ＣＥレベルをサポートし得、それらの各々は異なる量のＣＥを与え得る。本開示の例では、送信をスクランブルするために使用されるスクランブリングシーケンスは、送信に関連する、バンドリングレベルなど、ＣＥレベルにマッピングされ得る。ＣＥレベルは、いくつかの例では、送信の異なる部分の送信のために使用される周波数サブバンドのホッピングパターンにマッピングされ得る。
【００４３】
[0055]上述のように、本開示の様々な態様は、ワイヤレス通信システムにおけるバンドリングレベルのシグナリングおよび決定を提供する。たとえば、ＭＴＣデバイスなど、ユーザ機器（ＵＥ）は、たとえば、送信中に含まれる情報の冗長バージョンの数を示す利用可能なバンドリングレベルのセットを識別し得る。利用可能なバンドリングレベルのセットに基づいて、ＵＥは、送信のための周波数ホッピングシーケンスを識別し得る。ＵＥは、送信をデスクランブルするためのスクランブリングシーケンスのセットをも識別し得、スクランブリングシーケンスのセットのうちの各シーケンスが、利用可能なバンドリングレベルのうちの１つに関連する。ＵＥは、スクランブリングシーケンスのセットのうちの連続するシーケンスを使用して、送信の第１の部分を反復的にデスクランブルし得、どのスクランブリングシーケンスが送信の部分を成功裏にデスクランブルしたかに基づいて、送信のために使用されるバンドリングレベルを決定し得る。いくつかの例では、ＵＥは、次いで、送信中の情報が成功裏に復号されたかどうかを決定し得、その場合、ＵＥは、送信の受信の早期終了を実行し、したがってリソースを温存し得る。
【００４４】
[0056]述べられたように、送信は、制御チャネル送信であり得、後続の共有チャネル送信において使用されるべきバンドリングレベルのインジケータを含み得る、ダウンリンク制御情報（ＤＣＩ）を含み得る。いくつかの例では、制御チャネル送信のために使用されるバンドリングレベルは、共有チャネル送信において使用されるバンドリングレベルとは異なり得るが、他の例では、制御チャネル送信と共有チャネル送信の両方が、同じバンドリングレベルを有し得る（ただし、他のＣＥ技法に関して異なり得る）。制御チャネル情報中のインジケータは、制御チャネル送信のバンドリングレベルとともに、共有チャネル送信のためのバンドリングレベルにマッピングされ得る。いくつかの例では、送信のためのホッピングシーケンスは、共有チャネル送信または制御チャネル送信に関連する最低バンドリングレベルに基づき（たとえば、ＵＥの最低の構成されたバンドリングレベルに基づき）得る。
【００４５】
[0057]カバレージエンハンスメントは、たとえば、（たとえば、最高１５ｄＢの）電力ブースティングと、ビームフォーミングと、送信の冗長バージョンを与えるための送信時間間隔（ＴＴＩ）のバンドリングとを含み得る。ワイヤレス通信システムは、比較的劣悪な無線状態における、あるいは、ワイヤレスデバイスが比較的狭い帯域幅を使用して動作し得るかまたは地階などのカバレージ限定ロケーション中にある、展開における通信リンクを改善するために、たとえば、ＴＴＩバンドリングを採用し得る。ＴＴＩバンドリングは、冗長性バージョン（redundancy version）を再送信する前にデータが受信されなかったことを示すフィードバックを待つことではなく、連続または非連続ＴＴＩのグループ中で同じ情報の複数の冗長コピーを送ることを伴い得る。たとえば、制御チャネルと、関連するメッセージとを含む、様々な物理チャネルは、ワイヤレス通信デバイスへの複数の冗長送信に関連し得る。いくつかの場合には、冗長バージョンの数は数十サブフレーム程度であり得、異なるチャネルは異なる冗長レベルを有し得る。
【００４６】
[0058]以下の説明は、上記で説明された態様についてさらに説明し、追加の例を与えるが、説明は、特許請求の範囲に記載される範囲、適用可能性、または例を限定しない。本開示の範囲から逸脱することなく、説明される要素の機能および構成において変更が行われ得る。様々な例は、適宜に様々なプロシージャまたはコンポーネントを省略、置換、または追加し得る。たとえば、シナリオは、ＭＴＣデバイスに関して説明されるが、本明細書で説明される技法は、様々な他のタイプワイヤレス通信デバイスおよびシステムとともに使用され得る。さらに、説明される方法は、説明される順序とは異なる順序で実行され得、様々なステップが追加、省略、または組み合わせられ得る。また、いくつかの例に関して説明される特徴は、他の例において組み合わせられ得る。
【００４７】
[0059]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−ａ）ネットワークであり得る。ＵＥ１１５は、たとえば、基地局１０５から受信される送信において使用されるスクランブリングシーケンスを決定することによってＣＥレベルを決定し得る、ＭＴＣデバイスであり得る。
【００４８】
[0060]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスなどでもあり得る。
【００４９】
[0061]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００５０】
[0062]いくつかのタイプのワイヤレスデバイスは、上記で手短に説明されたように、自動化された通信を与え得る。自動化されたワイヤレスデバイスは、マシンツーマシン（Ｍ２Ｍ）通信またはマシンタイプ通信（ＭＴＣ）をインプリメントするものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を収集するか、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００５１】
[0063]いくつかの場合には、上述のように、ワイヤレス通信システム１００は、セルエッジに位置するか、低電力トランシーバを用いて動作するか、あるいは高干渉または経路損失を経験するＵＥ１１５のための通信リンク１２５の品質を改善するために、ＣＥ技法を利用し得る。ＣＥ技法は、反復送信、送信時間間隔（ＴＴＩ）バンドリング、ハイブリッド自動再送要求（ＨＡＲＱ）再送信、物理アップリンク共有チャネル（ＰＵＳＣＨ）ホッピング、ビームフォーミング、電力ブースティング、または他の技法を含み得る。使用されるＣＥ技法は、異なる状況におけるＵＥ１１５の固有のニーズに依存し得る。たとえば、ＴＴＩバンドリングは、冗長性バージョンを再送信する前に否定応答（ＮＡＣＫ）を待つことではなく、連続ＴＴＩのグループ中で同じ情報の複数のコピーを送ることを伴い得る。これは、たとえば、ボイスオーバーロングタームエボリューション（ＶｏＬＴＥ）またはＶＯＩＰ通信に関与するユーザにとって有効であり得る。他の場合には、ＨＡＲＱ再送信の数も増加され得る。アップリンクデータ送信が、周波数ダイバーシティを達成するために、周波数ホッピングを使用して送信され得る。ビームフォーミングが、特定の方向において信号の強度を増加させるために使用され得、または送信電力が単に増加され得る。いくつかの場合には、１つまたは複数のＣＥオプションが組み合わせられ得、本技法が信号を改善することが予想されるデシベル数に基づいて、ＣＥレベルが定義され得る（たとえば、ＣＥなし、５ｄＢ  ＣＥ、１０ｄＢ  ＣＥ、１５ｄＢ  ＣＥなど）。
【００５２】
[0064]いくつかの例では、送信のためのバンドリングレベルは、送信の少なくとも一部分をスクランブルするために使用されるスクランブリングシーケンスの識別を通して、ＵＥ１１５によって決定され得る。基地局１０５は、たとえば、送信のためのバンドリングレベルを識別し、そのバンドリングレベルに少なくとも部分的に基づいて送信のためのスクランブリングシーケンスを選択し得る。ＵＥ１１５は、送信を反復的にデスクランブルし、送信をデスクランブルすることに成功したスクランブリングシーケンスに基づいてバンドリングレベルを決定し得る。様々な例では、バンドリングレベルインジケータが制御チャネル送信において与えられ得、制御チャネル送信自体のバンドリングレベルに結合されたバンドリングレベルインジケータが、後続の共有チャネル送信のためのバンドリングレベルにマッピングされ得る。いくつかの例では、周波数ホッピングシーケンスのセットのうちの周波数ホッピングシーケンスは、利用可能なバンドリングレベルのうちの１つに関連し得、ＵＥ１１５は、送信のバンドリングレベルに少なくとも部分的に基づいて、特定の送信のために使用されるホッピングシーケンスを決定し得る。いくつかの例では、ホッピングシーケンスは、送信に関連する最低バンドリングレベルに基づいて選択され得る。
【００５３】
[0065]図２は、本開示の様々な態様による、狭帯域通信のためのバンドルサイズ決定のためのワイヤレス通信サブシステム２００の一例を示す。ワイヤレス通信システム２００は、基地局１０５−ａと、第１のＵＥ１１５−ａと、第２のＵＥ１１５−ｂとを含む。基地局１０５−ａ、第１のＵＥ１１５−ａ、および第２のＵＥ１１５−ｂは、図１を参照しながら説明された基地局１０５またはＵＥ１１５の態様の例であり得る。
【００５４】
[0066]いくつかの例では、基地局１０５−ａは、通信リンク１２５を使用して、ＴＴＩバンドリングなど、１つまたは複数のＣＥ技法を使用して送信され得る、ＭＴＣ物理ダウンリンク制御チャネル（ＭＰＤＣＣＨ：MTC physical downlink control channel）送信を送信し得る。たとえば、基地局１０５−ａは、第１のバンドリングレベルを使用して通信リンク１２５−ａを介して第１の送信をＵＥ１１５−ａに送信し得、第２のバンドリングレベルを使用して通信リンク１２５−ｂを介して第２の送信をＵＥ１１５−ｂに送信し得る。各ＵＥ１１５は、アグリゲーションレベルとバンドリングまたは繰返しレベルとのセットを監視し得る。アグリゲーションレベルは、特定のサブフレーム内で監視されるリソース要素（ＲＥ）の数に対応し得、いくつかの例では、ＵＥ１１５は、異なるバンドリングレベルについて同じアグリゲーションレベルを監視し得る。たとえば、第１のＵＥ１１５−ａは、繰返しレベル４および８についてアグリゲーションレベル６（すなわち、サブフレームごとに６つのＲＢ）を監視し得、第２のＵＥ１１５−ｂは、繰返しレベル８および１２についてアグリゲーションレベル４（すなわち、サブフレームごとに４つのＲＢ）を監視し得る。
【００５５】
[0067]上述のように、リソースを温存するために、ＵＥ１１５は、繰返しの全数よりも少数で送信を復号することを試み得、これは、ＵＥ１１５が、受信される信号の繰返しの全部の受信のための全時間量よりも前に、信号の受信を終了することを可能にし得る。たとえば、信号が、基地局１０５−ａによって２の繰返しレベルで第１のＵＥ１１５−ａに送信され、第１のＵＥ１１５−ａが、わずか第１の繰返しの後に送信を成功裏に受信および復号することが可能である場合、第１のＵＥ１１５−ａは、受信プロセス、すなわち、ＵＥ１１５−ａにおける受信機のターン(turn)を終了し、受信された信号を処理し、潜在的に、繰返しの全部が受信される場合よりも急速にスリープ状態に遷移し、したがって第１のＵＥ１１５−ａがリソースを温存するのを助け得る。
【００５６】
[0068]図３は、本開示の様々な態様による、バンドルサイズ決定を行い得る送信３０５の例３００を示す。送信３０５は、図１〜図２を参照しながら説明されたＵＥ１１５と基地局１０５との例であり得る、基地局とＵＥとの間で送信され得る。
【００５７】
[0069]図３の例では、ＭＰＤＣＣＨ送信であり得る送信３０５は、８つのサブフレーム３１０−ａ〜３１０−ｈを含み、２のバンドリングレベルを有し得る。この例では、第１の４つのサブフレーム、ＳＦ0３１０−ａ〜ＳＦ3３１０−ｄが、第１の繰返し３１５を送信し得、第２の４つのサブフレーム、ＳＦ4３１０−ｅ〜ＳＦ7３１０−ｈが、第２の繰返し３２０を送信し得る。繰返しの数およびサブフレーム３１０の数が単に例示および説明の目的で与えられ、本明細書で説明される技法が他の数のサブフレームおよび繰返しにも適用されることに留意されたい。ＳＦ3３１０−ａにおける第１の繰返しの完了に続いて（またはＮ回の繰返しに続いて）、ＵＥは、第１の繰返し３１５が成功裏に受信されたかどうかを決定するために第１の繰返し３１５をデスクランブルし、ＣＲＣチェック（CRC check）し得る。
【００５８】
[0070]しかしながら、送信がＭＰＤＣＣＨ送信である場合、ＵＥは、以前に、ＭＰＤＣＣＨ送信が送信されるべきである特定のバンドリングレベルでシグナリングされていないことがある。さらに、物理ダウンリンク共有チャネル（ＰＤＳＣＨ）送信など、後続の共有チャネル送信のためのタイミングは、ＭＰＤＣＣＨ送信の完了に基づき得る。したがって、図２と図３の両方を参照すると、第１のＵＥ１１５−ａが第１の繰返し３１５に続いてブラインド復号を成功裏に実行した場合、第１のＵＥ１１５−ａは、それが送信３０５の繰返しの全部を復号したのか、繰返しの全部よりも少数で送信を早期に成功裏に復号したのかを知らないことがある。さらに、ＵＥ１１５−ａは、アップリンクまたはダウンリンク割当てのためのタイミングを決定するためにＭＰＤＣＣＨ持続時間情報に依存し得る。たとえば、送信３０５のための真のバンドルサイズが２である場合、ＵＥ１１５−ａは、後続のＰＤＳＣＨ送信を受信するために、２つのＭＰＤＣＣＨ送信繰返しが完了されるまで待ち得る。したがって、いくつかの例によれば、ＵＥ１１５は、制御チャネル送信３０５のバンドリングレベルを決定することが可能であることと、信号が、送信された繰返しの全部よりも少数で成功裏に受信および復号された場合、受信動作を早期に終了することが可能であることとが望ましいことがある。さらに、比較的少数のブラインド復号を使用して、および送信に必要とされるシグナリングのペイロード長または量を増加させることなしに、これらの決定を行うことが望ましいであろう。
【００５９】
[0071]いくつかの例によれば、ＵＥ１１５は、スクランブリングシーケンスを通して行われるバンドリングレベルの決定を通して、制御チャネル送信のバンドリングレベルを決定し、早期終了を実行し得る。いくつかの例では、ＭＰＤＣＣＨ繰返しの数は、制御チャネル送信とともに与えられる、スクランブルされる巡回冗長検査（ＣＲＣ）中に含まれる。いくつかの例では、ＣＲＣは、送信がＵＥ１１５を対象とすると決定するためにＵＥ１１５によって使用され得る、無線ネットワーク一時識別子（ＲＮＴＩ）によってスクランブルされ得る。ＣＲＣはまた、ＲＮＴＩによってスクランブルされることに加えて、バンドル指示を用いてスクランブルされ得る。たとえば、１４ビットＲＮＴＩと２ビットバンドル指示とが、ＵＥ１１５への制御チャネル送信のためのスクランブリングシーケンスとして使用され得る。そのような例では、４つの異なる繰返しレベルが（たとえば、無線リソース制御（ＲＲＣ）シグナリングを通してまたはシステム情報ブロック（ＳＩＢ）送信を通して）基地局１０５−ａによって構成され得、ＵＥ１１５は、復号ごとに４回のＣＲＣチェックを実行し得る。成功したＣＲＣ復号における結果におけるに対するスクランブリングシーケンスに基づいて、ＵＥ１１５は、送信のバンドリングレベルを決定し得る。
【００６０】
[0072]そのような技法を使用して、早期終了を可能にすることは、ＵＥ１１５ハードウェアが、追加の復号またはＣＲＣチェックを実行することを必要とせず、単に、ＣＲＣチェックすることの挙動を変更する。いくつかの例では、ブロードキャストトラフィック（たとえばページング）について、ＵＥ１１５は、１つの繰返しレベルのみを監視し得る。いくつかの例では、基地局１０５−ａは、１４ビットＲＮＴＩを使用することが、サポートされるべきＵＥ１１５の全部のための十分な数のＲＮＴＩを与えるとは限らず、１６ビットＲＮＴＩが必要とされると決定し得る。そのような場合、基地局１０５−ａは、ＲＮＴＩのために使用され得る追加のビットを与えるために、バンドリングレベルの数を（たとえば、１ビットでシグナリングされ得る２つのバンドリングレベルに）低減するか、または、完全に、ＵＥ１１５による早期終了を無効にし得る。他の例では、いくつかのＲＮＴＩを予約することが実際的でない場合（たとえば、各々が、対応するＲＮＴＩをもつ、比較的大きい数のＵＥがスリープモードにあるとき）、バンドルサイズを区別するために他のスクランブリングシーケンス技法が使用され得る。いくつかの例では、スクランブリングが、送信中に含まれるべきデータのコーディングの前に導入され、ＣＲＣが、構成されたビットの最大数を用いてスクランブルされることを可能にし得る。そのようなスクランブリングシーケンスは、いくつかの例では、ＲＮＴＩにも依存することができる。他の例では、バンドリングレベルに対応するインターリービングシーケンスを用いて、インターリーバが、コーディングの前に導入され得る。これらの例の各々では、スクランブリングシーケンスは、送信されるべきデータのコーディングの前に適用され、したがって、早期終了を可能にするために追加のブラインド復号は必要とされない。
【００６１】
[0073]上述のように、ＭＰＤＣＣＨ送信など、制御チャネル送信に続いて、ＰＤＳＣＨ送信など、共有チャネル送信が送信され得る。いくつかの例では、制御チャネル送信は、後続の共有チャネル送信のために使用されるべきバンドリングレベルのインジケータを含み得るダウンリンク制御情報（ＤＣＩ）を含み得る。時間変動状態をもつＵＥ１１５について、チャネル状態が悪化する場合、必要とされるよりも大きいＭＰＤＣＣＨバンドリングレベルを監視することが有用であり得る。たとえば、初期チャネル状態が２のＭＰＤＣＣＨバンドルサイズを示す場合、ＵＥ１１５はまた、４のバンドルサイズを監視し得る。ＵＥ１１５がより悪いチャネル状態に移行する場合、基地局１０５−ａは、より高い繰返しレベルを使用し得、これはまた、関連する共有チャネル送信も、より高い繰返しレベルを必要とし得ることを暗示し得る。いくつかの例によれば、ブラインド復号によって検出される制御チャネルバンドルサイズ、および／または制御チャネルアグリゲーションレベルは、共有チャネルバンドルサイズと結びつけられ得る。たとえば、第１のＵＥ１１５−ａは、繰返しレベル２および４について制御チャネル送信を監視するように構成され得、以下のように共有チャネルバンドリングレベルを決定するために、制御チャネル送信において送信される１ビットインジケータが使用され得る。
繰返しレベル２をもつＭＰＤＣＣＨ：０＝バンドルサイズ１０、１＝バンドルサイズ２０
繰返しレベル４をもつＭＰＤＣＣＨ：０＝バンドルサイズ２０、１＝バンドルサイズ４０
いくつかの例では、このマッピングは、ＳＩＢ送信またはＲＲＣ構成など、何らかの上位レイヤシグナリングを通して与えられ得る。たとえば、基地局１０５−ａは、ＭＰＤＣＣＨバンドルサイズとＰＤＳＣＨバンドルサイズとの間の関係を与えるために、ＲＲＣを介してＵＥ１１５にマッピングを示し得る。
【００６２】
[0074]図４は、本開示の様々な態様による、狭帯域通信のためのバンドルサイズ決定をサポートする送信機処理の例４００を示す。例４００中の送信機処理は、図１〜図２を参照しながら説明された基地局１０５など、基地局によって実行され得る。
【００６３】
[0075]図４の例４００では、基地局は、ＭＰＤＣＣＨ送信など、制御チャネル送信においてＵＥに送信されるべきＤＣＩ情報を決定し得る。例４００の動作は、説明される異なる動作について、確立された技法に従って実行され得る。ブロック４０５において、基地局は、ＤＣＩ送信中に含まれるべきであるＤＣＩビットを決定し得る。ブロック４１０において、基地局は、制御チャネル送信中に含めるためのＣＲＣアタッチメントを決定し得る。次いで、ＣＲＣは、ブロック４１５において示されているように、宛先ＵＥのためのＲＮＴＩを用いてスクランブルされ得る。いくつかの例によれば、ブロック４１５におけるスクランブリングのために使用されるスクランブリングシーケンスは、図２〜図３に関して上記で説明されたように、ＲＮＴＩに関連する第１の数のビットと、制御チャネル送信のバンドリングレベルを示すために使用される第２の数のビットとを含み得る。他の例では、スクランブリングまたはインターリービングは、図２〜図３に関して上記で説明されたように、制御チャネル送信のバンドリングレベルを示すために使用されるスクランブリングシーケンスを用いて、ブロック４０５に先立って導入され得る。
【００６４】
[0076]ブロック４２０において、基地局は、制御チャネル送信のために使用されるべき変調およびコーディング方式（ＭＣＳ）に従って実行され得る、制御チャネル情報に対するコーディングを実行すること得る。ブロック４２５において基地局はレートマッチングを実行し得、ブロック４３０において基地局はコード化ビットスクランブリングを実行し得、ここで、スクランブリングは、ＲＮＴＩあるいは仕様または上位レイヤによって固定される他の値によって初期化され得る。ブロック４３５において、スクランブルされたコード化ビットは、４位相シフトキーイング（ＱＰＳＫ）変調に従ってなど、変調される。ブロック４４０においてシングルレイヤマッピングが実行され、その後に、ブロック４４５におけるＲＥ／ＡＰマッピングが続き得る。ブロック４５０において復調基準信号（ＤＭＲＳ：demodulation reference signal）が生成され、その後に、制御チャネル信号の送信が続き得る。
【００６５】
[0077]図５Ａは、本開示の様々な態様による、狭帯域通信のためのバンドルサイズ決定をサポートする受信機処理の例５００を示す。例５００中の受信機処理は、図１〜図２を参照しながら説明されたＵＥ１１５など、ＵＥによって実行され得る。
【００６６】
[0078]図５Ａの例５００では、ＵＥは、ＭＰＤＣＣＨ送信など、制御チャネル送信を基地局から受信し得る。例５００の動作は、説明される異なる動作について、確立された技法に従って実行され得る。ブロック５０５において、ＵＥはチャネル／雑音推定を実行し得る。ブロック４１０において、ＵＥは、受信された信号に対して等化を実行し、その後に、ブロック５１５において実行される対数尤度比（ＬＬＲ：log likelihood ratio）計算が続き得る。いくつかの例では、ＬＬＲ計算は、信号の１つまたは複数の前の繰返しからの前のＬＬＲ計算を組み合わせることを含み得る。ブロック５２０において、ＵＥは、受信された信号のデスクランブリングを実行し、その後に、ブロック５２５における受信された信号の復号が続き得る。ＵＥは、次いで、ブロック５３０において、デスクランブルされ、復号された情報に対してＣＲＣチェックを実行し得る。デスクランブリング５２０と復号５２５とＣＲＣチェック５３０とは、いくつかの例では、図１〜図２に関して上記で説明されたように、いくつかのデスクランブリング候補について反復的に実行され得る。代替的に、バンドルサイズ決定のためのスクランブリングまたはインターリービングがコーディングの前に実行される場合、ＵＥは、単一のデスクランブリング５２０および復号５２５を実行し、その後に、変更された１つまたは複数のＣＲＣチェック５３０が続き得る。成功したデスクランブリング、復号、およびＣＲＣチェックすることに続いて、図１〜図２に関して上記で説明されたように、対応するデスクランブリング候補は、制御チャネル送信のためのバンドリングサイズを決定するために使用され得、これは、今度は後続の共有チャネル送信のためのタイミングを決定するために、および／または後続の共有チャネル送信において使用されるべきバンドリングサイズを決定するために、使用され得る。
【００６７】
[0079]図５Ｂは、本開示の様々な態様による、バンドルサイズに基づく周波数ホッピングパターンのいくつかの例５５０、５５５、５６０を示す。周波数ホッピングパターン５５０〜５６０は、図１〜図２を参照しながら説明されたＵＥ１１５または基地局１０５など、ＵＥまたは基地局によって使用され得る。
【００６８】
[0080]図５Ｂの例５５０〜５６０など、様々な例では、ホッピンググラニュラリティ（granularity）ＹCHが、監視される最低繰返しレベルに基づいて決定され得る。たとえば、例５５０では、ＵＥが、制御チャネル送信のためのバンドリングサイズが制御チャネル情報の１６回の繰返しを与え得、共有チャネル送信のためのバンドリングサイズが共有チャネル情報の１６回の繰返しを与え得ると決定し得る。そのような場合、周波数ホッピングパターンは、各繰返し中に少なくとも１つの周波数遷移を与えるように、８つのサブフレームのホッピンググラニュラリティを与え得る。例５５０では、第１の送信部分５６５は、周波数サブバンドＡ５６７を使用して送信される第１の８つのサブフレーム（ＳＦ0〜ＳＦ7）を含み得、第２の送信部分５７０は、周波数サブバンドＢ５７２を使用して送信される第２の８つのサブフレーム（ＳＦ8〜ＳＦ15）を含み得る。例５５０は、同じバンドリングレベルを使用する制御チャネル送信および共有チャネル送信を有するが、異なるバンドルサイズが制御チャネル送信および共有チャネル送信のために使用され得、制御チャネル送信および共有チャネル送信の各々の繰返しレベルが８よりも大きい限り（たとえば、１２の繰返しレベル）、周波数ホッピンググラニュラリティは８つのサブフレームであり続け得る。そのような技法は、ある周波数ダイバーシティが各繰返し中に達成され得ることを規定する。さらに、連続する送信の周波数ホッピングシーケンスは、確立された周波数ホッピング技法に従ってなど、連続する送信の第１の送信部分が異なる周波数サブバンド上で送信され得ることを規定するように選択され得る。
【００６９】
[0081]制御チャネル送信または共有チャネル送信の一方または両方が、より低い繰返しレベルを有する場合、周波数ホッピングシーケンスは、各繰返しについて周波数ダイバーシティを与えるように選択され得る。例５５５では、制御チャネル送信または共有チャネル送信の一方または両方が８の繰返しレベルを有し得、その場合、周波数ホッピングは、４つのサブフレームごとに周波数を変更するように選択され得る。この例では、第１の送信部分５７５は、周波数サブバンドＡ５７７を使用して送信される第１の４つのサブフレーム（ＳＦ0〜ＳＦ3）を含み得、第２の送信部分５８０は、周波数サブバンドＢ５８２を使用して送信される第２の４つのサブフレーム（ＳＦ4〜ＳＦ7）を含み得る。同様に、例５６０では、繰返しレベルは４であり得、第１の送信部分５８５は、周波数サブバンドＡ５８７を使用して送信される第１の２つのサブフレーム（ＳＦ0〜ＳＦ1）を含み得、第２の送信部分５９０は、周波数サブバンドＢ５９２を使用して送信される第２の２つのサブフレーム（ＳＦ2〜ＳＦ3）を含み得る。
【００７０】
[0082]同時に監視されている複数のバンドルレベル（たとえば例５５５および５６０の制御チャネル送信の同時の監視）の場合、周波数ホッピングパターンは、最低バンドリングレベルのための周波数ダイバーシティを与えるように選択され得る。そうではなく、ＵＥが（たとえばブラインド復号によって）同時に両方のバンドルサイズを監視している場合、ＵＥは、それが同時に２つのサブバンド（たとえば第１の送信部分５７５中のＳＦ2についてのサブバンドＡ５７７と第２の送信部分５９０中のＳＦ2についてのサブバンドＢ５９２と）を監視することを必要とすることになるので、送信５５５および５６０を同時に監視することができないことがある。したがって、この場合、バンドルサイズのセットのためのホッピンググラニュラリティＹCHは、利用可能なバンドルサイズのセット中の最も小さいバンドルサイズから決定され得る（たとえば、ＹCHは２に設定されるであろう）。そのような様式で、ＵＥが複数のバンドルサイズを監視するように（たとえば、無線リソース制御（ＲＲＣ）シグナリングを介して）構成される場合、周波数ホッピングシーケンスは、最低の構成されたバンドルサイズに対応するように、基地局とＵＥの両方によってマッピングされ得る。
【００７１】
[0083]図６は、本開示の様々な態様による、狭帯域通信のためのバンドルサイズ決定のためのプロセスフロー６００の一例を示す。プロセスフロー６００は、図１〜図２を参照しながら説明されたＵＥ１１５と基地局１０５との例であり得る、ＵＥ１１５−ｃと基地局１０５−ｂとを含み得る。
【００７２】
[0084]図６の例では、ブロック６０５において、基地局１０５−ｂは、ＵＥ１１５−ｃに送信されるべき情報を識別する。そのような情報は、たとえば、制御チャネル送信において送信されるべき制御チャネル情報を含み得る。ブロック６１０において、基地局１０５−ｂは、ＵＥ１１５−ｃへの送信のために使用されるべきバンドリングレベルを識別する。バンドリングレベルは、ＵＥにカバレージエンハンスメントを与えるように選択され得、たとえば、基地局１０５−ｂとＵＥ１１５−ｃとの間のチャネル状態に基づいて決定され得る。ブロック６１５において、基地局１０５−ｂは、図２〜図５に関して上記で説明されたような様式で、スクランブリングシーケンスを選択し、ＵＥ１１５−ｃへの制御チャネル送信の全部または一部分をスクランブルする。基地局１０５−ｂは、送信６３０をＵＥ１１５−ｃに送信し得る。送信６３０より前に、ＵＥ１１５−ｃは、図２〜図５に関して上記で説明されたのと同様の様式で、ブロック６２０において、利用可能なバンドリングレベルを識別し、ブロック６２５において示されているように、複数のスクランブリングシーケンスを識別する。送信６３０の受信に続いて、またはその受信中に、ＵＥ１１５−ｃは、ブロック６３５において示されているように、スクランブリングシーケンスＮを用いて送信の第１の部分をデスクランブル／復号／ＣＲＣチェックする。スクランブリングシーケンスＮは、ブロック６２５において識別された複数のスクランブリングシーケンスのうちの第１のスクランブリングシーケンスであり得る。ブロック６４０において、デスクランブリング／復号／ＣＲＣチェックが成功したかどうかが決定される。デスクランブリング／復号／ＣＲＣチェックが成功しなかった場合、ＵＥ１１５−ｃは、Ｎを増分し、ブロック６３５および６４０の動作を繰り返し得る。デスクランブリング／復号／ＣＲＣチェックが成功した場合、ＵＥ１１５−ｃは、ブロック６５０において示されているように、制御チャネル送信のバンドリングレベルを決定する。ブロック６７０において、ＵＥ１１５−ｃは、デスクランブリング／復号／ＣＲＣチェックが制御チャネル情報の繰返しの全部の受信より前に成功したとき、受信の早期終了を実行する。代替的に、ＵＥは、単一のデスクランブリング／復号を実行し、その後に、複数のＣＲＣチェックが続き得、ここで、複数のＣＲＣチェックの各々がスクランブリングシーケンスＮに従って実行される。また別の例では、ＵＥは、ブロック６３５において単一のデスクランブリング／復号／ＣＲＣチェックを実行し、ここで、ＣＲＣチェックは、低減された数のビット（たとえば１６ではなく１４ビット）をチェックすることを備え、残りのビット（たとえば２ビット）は、ブロック６５０においてバンドルレベルを決定するために使用される。
【００７３】
[0085]いくつかの例では、制御チャネル情報は、上記で説明されたように、データと、データに関連するＣＲＣとを含み得る。いくつかの例では、ＣＲＣは、ＵＥ１１５−ｃの無線ネットワーク一時識別子（ＲＮＴＩ）とバンドリングレベルを示す１つまたは複数のビットとを用いてスクランブルされる。他の例では、データとＣＲＣの両方が、送信６３０のバンドリングレベルを示すスクランブリングシーケンスを用いてスクランブルされ得る。さらなる例では、データおよびＣＲＣは、送信６３０のバンドリングレベルを示したスクランブリングパターンに従ってインターリーブされ得、ＵＥ１１５−ｃは、送信６３０をデスクランブルするとき、利用可能なインターリービングシーケンスのセットを使用して情報を反復的にデインターリーブし、送信６３０のバンドリングレベルを決定し得る。
【００７４】
[0086]図７は、本開示の様々な態様による、狭帯域通信のためのバンドルサイズ決定のためのプロセスフロー７００の一例を示す。プロセスフロー７００は、図１〜図２を参照しながら説明されたＵＥ１１５と基地局１０５との例であり得る、ＵＥ１１５−ｄと基地局１０５−ｃとを含み得る。
【００７５】
[0087]図７の例では、ブロック７０５において、基地局１０５−ｃは、図２〜図３に関して上記で説明されたのと同様の様式で、制御チャネルおよび共有チャネルバンドリングレベルをマッピングする。基地局１０５−ｃは、マッピング情報送信７１０をＵＥ１１５−ｄに送信し得る。そのようなマッピング情報送信７１０は、たとえば、ＳＩＢ送信またはＲＲＣシグナリング送信であり得る。ブロック７１５において、基地局１０５−ｃは制御チャネルバンドリングレベルを識別する。ブロック７２０において、基地局１０５−ｃは共有チャネルバンドリングレベルを識別する。ブロック７０５のマッピングに基づいて、基地局１０５−ｃは、ブロック７２５において示されているように、制御チャネルシグナリングにおけるバンドリングレベルインジケータを設定する。
【００７６】
[0088]基地局１０５−ｃは、次いで、制御チャネル送信７３０をＵＥ１１５−ｄに送信し得る。ＵＥ１１５−ｄは、ブロック７３５において示されているように、制御チャネル送信７３０のバンドリングレベルを決定する。そのような決定は、図２〜図６に関して上記で説明されたような技法に従って行われ得る。ブロック７４０において、ＵＥ１１５−ｄは、制御チャネル送信７３０とともに含められたバンドリングレベルインジケータを決定する。ＵＥ１１５−ｄは、ブロック７４５において示されているように、後続の共有チャネル送信のバンドリングレベルを決定するために、制御チャネル送信７３０のバンドリングレベルとともに、バンドリングレベルインジケータを使用する。後続の共有チャネル送信のバンドリングレベルは、たとえば、マッピング情報送信７１０中で与えられるマッピング情報を通してなど、制御チャネル送信７３０のバンドリングレベルとバンドリングレベルインジケータとに基づき得る。いくつかの例では、マッピング情報送信７１０を有するのではなく、マッピングはワイヤレス通信のための仕様において確立され得る。
【００７７】
[0089]図８は、本開示の様々な態様による、狭帯域通信のためのバンドルサイズ決定のために構成されたワイヤレスデバイス８００のブロック図を示す。ワイヤレスデバイス８００は、図１〜図７を参照しながら説明されたＵＥ１１５の態様の一例であり得る。ワイヤレスデバイス８００は、受信機８０５、ワイヤレス通信マネージャ８１０、または送信機８１５を含み得る。ワイヤレスデバイス８００はプロセッサをも含み得る。これらのコンポーネントの各々は互いと通信していることがある。
【００７８】
[0090]受信機８０５は、パケット、ユーザデータ、または様々な情報チャネルに関連する制御情報（たとえば、制御チャネル、データチャネル、およびバンドルサイズ決定に関係する情報など）などの情報を受信し得る。情報は、ワイヤレス通信マネージャ８１０に、およびワイヤレスデバイス８００の他のコンポーネントに受け渡され得る。
【００７９】
[0091]ワイヤレス通信マネージャ８１０は、図１〜図７を参照しながら説明されたような技法を使用して、第１の送信中に含まれる情報の冗長バージョンの数を示す複数の利用可能なバンドリングレベルを識別し、複数のスクランブリングシーケンスの各々が、利用可能なバンドリングレベルのうちの１つに関連する、第１の送信をデスクランブルするための複数のスクランブリングシーケンスを識別し、識別されたスクランブリングシーケンスのうちの第１のスクランブリングシーケンスを使用して第１の送信の少なくとも一部分をデスクランブルし、第１のスクランブリングシーケンスを使用した、第１の送信の少なくとも一部分の成功したデスクランブリングに少なくとも部分的に基づいて、第１の送信のために使用されるバンドリングレベルを決定し得る。
【００８０】
[0092]送信機８１５は、ワイヤレスデバイス８００の他のコンポーネントから受信された信号を送信し得る。いくつかの例では、送信機８１５は、トランシーバモジュールにおいて受信機８０５とコロケートされ得る。送信機８１５は単一のアンテナを含み得るか、またはそれは複数のアンテナを含み得る。
【００８１】
[0093]図９は、本開示の様々な態様による、狭帯域通信のためのバンドルサイズ決定のためのワイヤレスデバイス９００のブロック図を示す。ワイヤレスデバイス９００は、図１〜図８を参照しながら説明されたワイヤレスデバイス８００またはＵＥ１１５の態様の一例であり得る。ワイヤレスデバイス９００は、受信機８０５−ａ、ワイヤレス通信マネージャ８１０−ａ、または送信機８１５−ａを含み得る。ワイヤレスデバイス９００はプロセッサをも含み得る。これらのコンポーネントの各々は互いと通信していることがある。ワイヤレス通信マネージャ８１０−ａは、カバレージエンハンスメントモジュール９０５と、スクランブリングシーケンス選択モジュール９１０と、スクランブリングモジュール９１５とをも含み得る。
【００８２】
[0094]受信機８０５−ａは、ワイヤレス通信マネージャ８１０−ａに、およびワイヤレスデバイス９００の他のコンポーネントに受け渡され得る情報を受信し得る。ワイヤレス通信マネージャ８１０−ａは、図８を参照しながら説明された動作を実行し得る。送信機８１５−ａは、ワイヤレスデバイス９００の他のコンポーネントから受信された信号を送信し得る。
【００８３】
[0095]カバレージエンハンスメントモジュール９０５は、図２〜図７を参照しながら説明されたように、第１の送信中に含まれる情報の冗長バージョンの数を示す複数の利用可能なバンドリングレベルを識別し得る。カバレージエンハンスメントモジュール９０５はまた、第１のスクランブリングシーケンスを使用した、第１の送信の少なくとも一部分の成功したデスクランブリングに少なくとも部分的に基づいて、第１の送信のために使用されるバンドリングレベルを決定し得る。
いくつかの例では、カバレージエンハンスメントモジュールは、バンドリングレベルに少なくとも部分的に基づいて、情報の複数の冗長バージョンが第１の送信中に含まれると決定し得る。カバレージエンハンスメントモジュール９０５は、いくつかの例では、識別されたスクランブリングシーケンスを使用して第１の送信を反復的にデスクランブルし、復号し、ＣＲＣチェックし、スクランブリングシーケンスのうちのどれが第１の送信の少なくとも一部分のデスクランブリングに成功したかに基づいて、第１の送信のために使用されるバンドリングレベルを決定し得る。いくつかの例では、スクランブリングシーケンスはインターリービングシーケンスであり得る。
【００８４】
[0096]カバレージエンハンスメントモジュール９０５はまた、さらなる例では、受信される制御チャネル送信の第１のバンドリングレベルを決定し得、次いで、第１のバンドリングレベルと、受信される制御チャネル送信において与えられるバンドリングレベルインジケータとに少なくとも部分的に基づいて、第１の共有チャネル送信の第２のバンドリングレベルを決定し得る。いくつかの例では、第２のバンドリングレベルは、第２のバンドリングレベルと第１のバンドリングレベルとバンドリングレベルインジケータ中に含まれている情報との間のマッピングに基づいて決定され得る。
【００８５】
[0097]スクランブリングシーケンス選択モジュール９１０は、図２〜図７を参照しながら説明されたように、第１の送信をデスクランブルするための複数のスクランブリングシーケンスを識別し得、複数のスクランブリングシーケンスの各々が、利用可能なバンドリングレベルのうちの１つに関連する。いくつかの例では、スクランブリングシーケンスは、さらに、受信機のＲＮＴＩに少なくとも部分的に基づいて選択され得る。いくつかの例では、スクランブリングシーケンスは、データをインターリーブするための、複数の利用可能なインターリービングシーケンスから選択される、インターリービングシーケンスを含み得る。
【００８６】
[0098]スクランブリングモジュール９１５は、図２〜図７を参照しながら説明されたように、識別されたスクランブリングシーケンスのうちの第１のスクランブリングシーケンスを使用して第１の送信の少なくとも一部分をデスクランブルし得る。スクランブリングモジュール９１５はまた、第１のスクランブリングシーケンスが、第１の送信の少なくとも一部分をデスクランブルすることに失敗したと決定し得、複数のスクランブリングシーケンスの他のものを使用して第１の送信の少なくとも一部分をデスクランブルすることを反復的に試み得る。いくつかの例では、情報は、データと、データに関連するＣＲＣとを備え、ここにおいて、第１の送信の一部分をデスクランブルすることが、第１のスクランブリングシーケンスを使用してＣＲＣをデスクランブルすることを備える。いくつかの例では、ＣＲＣは、ＲＮＴＩとバンドリングレベルを示す１つまたは複数のビットとを用いてスクランブルされ得る。他の例では、データとＣＲＣの両方が、第１のスクランブリングシーケンスを使用してスクランブルされ得る。
【００８７】
[0099]図１０は、本開示の様々な態様による、狭帯域通信のためのバンドルサイズ決定のためのワイヤレスデバイス８００またはワイヤレスデバイス９００のコンポーネントであり得るワイヤレス通信マネージャ８１０−ｂのブロック図１０００を示す。ワイヤレス通信マネージャ８１０−ｂは、図８〜図９を参照しながら説明されたワイヤレス通信マネージャ８１０の態様の一例であり得る。ワイヤレス通信マネージャ８１０−ｂは、カバレージエンハンスメントモジュール９０５−ａと、スクランブリングシーケンス選択モジュール９１０−ａと、スクランブリングモジュール９１５−ａとを含み得る。これらのモジュールの各々は、図９を参照しながら説明された機能を実行し得る。ワイヤレス通信マネージャ８１０−ｂは、コーディングモジュール１００５と、ＣＲＣモジュール１０１０と、インターリーバ１０１５と、シグナリングモジュール１０２５とをも含み得る。
【００８８】
[0100]コーディングモジュール１００５は、図２〜図７を参照しながら説明されたように、１つまたは複数の利用可能な復号方式を使用して、デスクランブルされた第１の送信の一部分を復号し得、デスクランブルされた第１の送信の一部分が、第１の送信中に含まれる情報の第１の冗長バージョンを含む。コーディングモジュール１００５はまた、情報が成功裏に復号されたかどうかを決定し得、また、情報が成功裏に復号されたことに少なくとも部分的に基づいて、第１の送信の受信を終了すべきかどうかを決定し得る。
【００８９】
[0101]ＣＲＣモジュール１０１０は、図２〜図７を参照しながら説明されたように、巡回冗長検査（ＣＲＣ）に少なくとも部分的に基づいて、情報が成功裏に復号されたであるかどうかを決定し得る。
【００９０】
[0102]インターリーバ１０１５は、いくつかの例では、図２〜図７を参照しながら説明されたように、複数の利用可能なインターリービングシーケンスのうちの第１のインターリービングシーケンスに従って第１の送信をデインターリーブすることによって、第１の送信の一部分をデスクランブルし得る。
【００９１】
[0103]シグナリングモジュール１０２５は、図２〜図７を参照しながら説明されたように、制御情報フィールド中で、１つまたは複数の共有チャネル送信において受信されるべき送信のためのバンドリングレベルを示すためのインジケータを受信し得、バンドリングレベルが、１つまたは複数の共有チャネル送信中に含まれるべき情報の冗長バージョンの数を示す。いくつかの例では、マッピングは、制御チャネル送信より前に受信され得る。いくつかの例では、マッピングは、システム情報ブロック（ＳＩＢ）または無線リソース制御（ＲＲＣ）構成情報のうちの１つまたは複数中で受信され得る。いくつかの例では、マッピングはワイヤレス通信のための仕様において確立され得る。いくつかの例では、制御情報フィールドは、送信機からのダウンリンク制御情報（ＤＣＩ）中で受信される情報フィールドであり得る。
【００９２】
[0104]ホッピングモジュール１０３０は、バンドリングレベル情報を受信し得、いくつかの異なる利用可能なホッピングシーケンスを識別し得、バンドリングレベル情報に少なくとも部分的に基づいて特定の送信のために使用されるホッピングシーケンスを決定し得る。上記で説明されたように、特定の送信のために選択されるホッピングシーケンスは、最低の構成されたバンドリングレベルに基づいて決定され得る。たとえば、ワイヤレスデバイス８００またはワイヤレスデバイス９００は、図５Ｂに関して上記で説明されたのと同様に、バンドルサイズ４、８および１６のために（たとえば、無線リソース制御（ＲＲＣ）シグナリングを介して）構成され得、この構成に基づいて、ＹCHが２であると決定し得る。同様に、ワイヤレスデバイス８００またはワイヤレスデバイス９００がバンドルサイズ８および１６のために構成される場合、ＹCHは４であろう。これらの例におけるそのようなホッピンググラニュラリティは、２つの周波数サブバンドのみの間のホッピングの場合であり、他のホッピンググラニュラリティが、特定のホッピング技法と特定のホッピング技法のために使用される周波数サブバンドの数とに基づいて選択され得る。
【００９３】
[0105]図１１は、本開示の様々な態様による、狭帯域通信のためのバンドルサイズ決定のために構成されたＵＥ１１５を含むシステム１１００の図を示す。システム１１００は、図１、図２、および図６〜図１０を参照しながら説明されたワイヤレスデバイス８００、ワイヤレスデバイス９００、またはＵＥ１１５の一例であり得る、ＵＥ１１５−ｅを含み得る。ＵＥ１１５−ｅは、図８〜図１０を参照しながら説明されたワイヤレス通信マネージャ８１０の一例であり得る、ワイヤレス通信マネージャ１１１０を含み得る。ＵＥ１１５−ｅは、通信を送信するためのコンポーネントと通信を受信するためのコンポーネントとを含む、双方向音声およびデータ通信のためのコンポーネントをも含み得る。たとえば、ＵＥ１１５−ｅは、基地局１０５−ｄまたはＵＥ１１５−ｆと双方向に通信し得る。
【００９４】
[0106]ＵＥ１１５−ｅは、プロセッサ１１０５と、（ソフトウェア（ＳＷ）を含む）１１２０メモリ１１１５と、トランシーバ１１３５と、１つまたは複数のアンテナ１１４０とをも含み得、それらの各々は、（たとえば、バス１１４５を介して）互いと直接または間接的に通信し得る。トランシーバ１１３５は、上記で説明されたように、（１つまたは複数の）アンテナ１１４０あるいはワイヤードリンクまたはワイヤレスリンクを介して、１つまたは複数のネットワークと双方向に通信し得る。たとえば、トランシーバ１１３５は、基地局１０５または別のＵＥ１１５と双方向に通信し得る。トランシーバ１１３５は、パケットを変調し、変調されたパケットを送信のために（１つまたは複数の）アンテナ１１４０に与え、（１つまたは複数の）アンテナ１１４０から受信されたパケットを復調するためのモデムを含み得る。ＵＥ１１５−ｅは単一のアンテナ１１４０を含み得るが、ＵＥ１１５−ｅはまた、複数のワイヤレス送信を同時に送信または受信することが可能な複数のアンテナ１１４０を有し得る。
【００９５】
[0107]メモリ１１１５は、ランダムアクセスメモリ（ＲＡＭ）および読取り専用メモリ（ＲＯＭ）を含み得る。メモリ１１１５は、実行されたとき、プロセッサ１１０５に本明細書で説明される様々な機能（たとえば、狭帯域通信のためのバンドルサイズ決定など）を実行させる命令を含むコンピュータ可読、コンピュータ実行可能ソフトウェア／ファームウェアコード１１２０を記憶し得る。代替的に、ソフトウェア／ファームウェアコード１１２０は、プロセッサ１１０５によって直接的に実行可能でないことがあるが、（たとえば、コンパイルされ実行されたとき）コンピュータに本明細書で説明される機能を実行させ得る。プロセッサ１１０５は、インテリジェントハードウェアデバイス、（たとえば、中央処理ユニット（ＣＰＵ）、マイクロコントローラ、特定用途向け集積回路（ＡＳＩＣ）など）を含み得る
[0108]図１２は、本開示の様々な態様による、狭帯域通信のためのバンドルサイズ決定のために構成されたワイヤレスデバイス１２００のブロック図を示す。ワイヤレスデバイス１２００は、図１〜図１１を参照しながら説明された基地局１０５の態様の一例であり得る。ワイヤレスデバイス１２００は、受信機１２０５、基地局ワイヤレス通信マネージャ１２１０、または送信機１２１５を含み得る。ワイヤレスデバイス１２００はプロセッサをも含み得る。これらのコンポーネントの各々は互いと通信していることがある。
【００９６】
[0109]受信機１２０５は、パケット、ユーザデータ、または様々な情報チャネルに関連する制御情報（たとえば、制御チャネル、共有チャネル、および狭帯域通信のためのバンドルサイズ決定に関係する情報など）などの情報を受信し得る。情報は、基地局ワイヤレス通信マネージャ１２１０に、およびワイヤレスデバイス１２００の他のコンポーネントに受け渡され得る。
【００９７】
[0110]基地局ワイヤレス通信マネージャ１２１０は、図２〜図７に関して説明されたような技法に従って、受信機に送信されるべき情報を識別し、送信されるべき情報の冗長バージョンの数を示すバンドリングレベルを識別し、バンドリングレベルに少なくとも部分的に基づいて、情報の送信より前に情報をスクランブルするためのスクランブリングシーケンスを選択し、選択されたスクランブリングシーケンスに少なくとも部分的に基づいて情報をスクランブルし得る。
【００９８】
[0111]送信機１２１５は、ワイヤレスデバイス１２００の他のコンポーネントから受信された信号を送信し得る。いくつかの例では、送信機１２１５は、トランシーバモジュールにおいて受信機１２０５とコロケートされ得る。送信機１２１５は単一のアンテナを含み得るか、またはそれは複数のアンテナを含み得る。
【００９９】
[0112]図１３は、本開示の様々な態様による、狭帯域通信のためのバンドルサイズ決定のためのワイヤレスデバイス１３００のブロック図を示す。ワイヤレスデバイス１３００は、図１〜図１２を参照しながら説明されたワイヤレスデバイス１２００または基地局１０５の態様の一例であり得る。ワイヤレスデバイス１３００は、受信機１２０５−ａ、基地局ワイヤレス通信マネージャ１２１０−ａ、または送信機１２１５−ａを含み得る。ワイヤレスデバイス１３００はプロセッサをも含み得る。これらのコンポーネントの各々は互いと通信していることがある。基地局ワイヤレス通信マネージャ１２１０−ａは、ＢＳ情報送信モジュール１３０５と、ＢＳカバレージエンハンスメントモジュール１３１０と、ＢＳスクランブリングシーケンス選択モジュール１３１５と、ＢＳスクランブリングモジュール１３２０と、ＢＳシグナリングモジュール１３２５とをも含み得る。
【０１００】
[0113]受信機１２０５−ａは、基地局ワイヤレス通信マネージャ１２１０−ａに、およびワイヤレスデバイス１３００の他のコンポーネントに受け渡され得る情報を受信し得る。基地局ワイヤレス通信マネージャ１２１０−ａは、図１２を参照しながら説明された動作を実行し得る。送信機１２１５−ａは、ワイヤレスデバイス１３００の他のコンポーネントから受信された信号を送信し得る。
【０１０１】
[0114]ＢＳ情報送信モジュール１３０５は、図２〜図７を参照しながら説明されたように、受信機に送信されるべき情報を識別し得る。
【０１０２】
[0115]ＢＳカバレージエンハンスメントモジュール１３１０は、図２〜図７を参照しながら説明されたように、送信されるべき情報の冗長バージョンの数を示すバンドリングレベルを識別し得る。
【０１０３】
[0116]ＢＳスクランブリングシーケンス選択モジュール１３１５は、図２〜図７を参照しながら説明されたように、バンドリングレベルに少なくとも部分的に基づいて、情報の送信より前に情報をスクランブルするためのスクランブリングシーケンスを選択し得る。
【０１０４】
[0117]ＢＳスクランブリングモジュール１３２０は、図２〜図７を参照しながら説明されたように、選択されたスクランブリングシーケンスに少なくとも部分的に基づいて情報をスクランブルし得る。
【０１０５】
[0118]ＢＳシグナリングモジュール１３２５は、図２〜図７を参照しながら説明されたように、第１のバンドリングレベルと第２のバンドリングレベルとに少なくとも部分的に基づいて、制御情報フィールド中で、第２のバンドリングレベルを示すためのインジケータを設定し得る。
【０１０６】
[0119]図１４は、本開示の様々な態様による、狭帯域通信のためのバンドルサイズ決定のためのワイヤレスデバイス１２００またはワイヤレスデバイス１３００のコンポーネントであり得る基地局ワイヤレス通信マネージャ１２１０−ｂのブロック図１４００を示す。基地局ワイヤレス通信マネージャ１２１０−ｂは、図１２〜図１３を参照しながら説明された基地局ワイヤレス通信マネージャ１２１０の態様の一例であり得る。基地局ワイヤレス通信マネージャ１２１０−ｂは、ＢＳ情報送信モジュール１３０５−ａと、ＢＳカバレージエンハンスメントモジュール１３１０−ａと、ＢＳスクランブリングシーケンス選択モジュール１３１５−ａと、ＢＳスクランブリングモジュール１３２０−ａと、ＢＳシグナリングモジュール１３２５−ａとを含み得る。これらのモジュールの各々は、図１３を参照しながら説明された機能を実行し得る。基地局ワイヤレス通信マネージャ１２１０−ｂは、ＢＳコーディングモジュール１４０５とＢＳインターリーバ１４１０とをも含み得る。
【０１０７】
[0120]ＢＳコーディングモジュール１４０５は、図２〜図７を参照しながら説明されたように、コーディング方式に従って、スクランブルされた情報をコーディングし得る。
【０１０８】
[0121]ＢＳインターリーバ１４１０は、図２〜図７を参照しながら説明されたように、選択されたインターリービングシーケンスを使用して情報をインターリーブすることによって、情報をスクランブルし得る。
【０１０９】
[0122]図１５は、本開示の様々な態様による、狭帯域通信のためのバンドルサイズ決定のために構成された基地局１０５を含むシステム１５００の図を示す。システム１５００は、図１、図２、図６、図７、および図１２〜図１４を参照しながら説明されたワイヤレスデバイス１２００、ワイヤレスデバイス１３００、または基地局１０５の一例であり得る、基地局１０５−ｅを含み得る。基地局１０５−ｅは、図１２〜図１４を参照しながら説明された基地局ワイヤレス通信マネージャ１２１０の一例であり得る、基地局ワイヤレス通信マネージャ１５１０を含み得る。基地局１０５−ｅは、通信を送信するためのコンポーネントと通信を受信するためのコンポーネントとを含む、双方向音声およびデータ通信のためのコンポーネントをも含み得る。たとえば、基地局１０５−ｅは、ＵＥ１１５−ｇまたはＵＥ１１５−ｈと双方向に通信し得る。
【０１１０】
[0123]いくつかの場合には、基地局１０５−ｅは１つまたは複数のワイヤードバックホールリンクを有し得る。基地局１０５−ｅは、コアネットワーク１３０へのワイヤードバックホールリンク（たとえば、Ｓ１インターフェースなど）を有し得る。基地局１０５−ｅはまた、基地局間バックホールリンク（たとえば、Ｘ２インターフェース）を介して、基地局１０５−ｆおよび基地局１０５−ｇなど、他の基地局１０５と通信し得る。基地局１０５の各々は、同じまたは異なるワイヤレス通信技術を使用してＵＥ１１５と通信し得る。いくつかの場合には、基地局１０５−ｅは、基地局通信モジュール１５２５を利用して１０５−ｆまたは１０５−ｇなどの他の基地局と通信し得る。いくつかの例では、基地局通信モジュール１５２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｅは、コアネットワーク１３０を通して他の基地局と通信し得る。いくつかの場合には、基地局１０５−ｅは、ネットワーク通信モジュール１５３０を通してコアネットワーク１３０と通信し得る。
【０１１１】
[0124]基地局１０５−ｅは、プロセッサ１５０５と、（ソフトウェア（ＳＷ）１５２０を含む）メモリ１５１５と、トランシーバ１５３５と、（１つまたは複数の）アンテナ１５４０とを含み得、それらは各々、（たとえば、バスシステム１５４５を介して）互いと直接または間接的に通信していることがある。トランシーバ１５３５は、（１つまたは複数の）アンテナ１５４０を介して、マルチモードデバイスであり得るＵＥ１１５と双方向に通信するように構成され得る。トランシーバ１５３５（または基地局１０５−ｅの他のコンポーネント）はまた、アンテナ１５４０を介して、１つまたは複数の他の基地局（図示せず）と双方向に通信するように構成され得る。トランシーバ１５３５は、パケットを変調し、変調されたパケットを送信のためにアンテナ１５４０に与え、アンテナ１５４０から受信されたパケットを復調するように構成されたモデムを含み得る。基地局１０５−ｅは、各々が１つまたは複数の関連するアンテナ１５４０をもつ、複数のトランシーバ１５３５を含み得る。トランシーバは、図１２の組み合わせられた受信機１２０５および送信機１２１５の一例であり得る。
【０１１２】
[0125]メモリ１５１５はＲＡＭおよびＲＯＭを含み得る。メモリ１５１５はまた、実行されたとき、プロセッサ１５１０に本明細書で説明される様々な機能（たとえば、狭帯域通信のためのバンドルサイズ決定、カバレージエンハンスメント技法を選択すること、呼処理、メッセージルーティングなど）を実行させるように構成された命令を含んでいるコンピュータ可読、コンピュータ実行可能ソフトウェアコード１５２０を記憶し得る。代替的に、ソフトウェア１５２０は、プロセッサ１５０５によって直接的に実行可能でないことがあるが、たとえば、コンパイルされ実行されたとき、コンピュータに本明細書で説明される機能を実行させるように構成され得る。プロセッサ１５０５は、インテリジェントハードウェアデバイス、たとえば、ＣＰＵ、マイクロコントローラ、ＡＳＩＣなどを含み得る。プロセッサ１５０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１３】
[0126]基地局通信モジュール１５２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１５２５は、ビームフォーミングまたはジョイント送信などの様々な干渉緩和技法のためのＵＥ１１５への送信のためのスケジューリングを協調させ得る。
【０１１４】
[0127]ワイヤレスデバイス８００、ワイヤレスデバイス９００、ワイヤレス通信マネージャ８１０、ワイヤレスデバイス１２００、ワイヤレスデバイス１３００、および基地局ワイヤレス通信マネージャ１２１０のコンポーネントは、適用可能な機能の一部または全部をハードウェアで実行するように適応された少なくとも１つのＡＳＩＣを用いて、個々にまたはまとめてインプリメンされ得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いてインプリメントされ得る。
【０１１５】
[0128]図１６は、本開示の様々な態様による、狭帯域通信のためのバンドルサイズ決定のための方法１６００を示すフローチャートを示す。方法１６００の動作は、図１〜図１５を参照しながら説明されたように、ＵＥ１１５またはそれのコンポーネントによってインプリメントされ得る。たとえば、方法１６００の動作は、図８〜図１１を参照しながら説明されたように、ワイヤレス通信マネージャ８１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０１１６】
[0129]ブロック１６０５において、ＵＥ１１５は、図２〜図７を参照しながら説明されたように、第１の送信中に含まれる情報の冗長バージョンの数を示す複数の利用可能なバンドリングレベルを識別する。いくつかの例では、ブロック１６０５の動作は、図９を参照しながら説明されたように、カバレージエンハンスメントモジュール９０５によって実行され得る。
【０１１７】
[0130]ブロック１６１０において、ＵＥ１１５は、図２〜図７を参照しながら説明されたように、第１の送信をデスクランブルするための複数のスクランブリングシーケンスを識別し、複数のスクランブリングシーケンスの各々が、利用可能なバンドリングレベルのうちの１つに関連する。いくつかの例では、ブロック１６１０の動作は、図９を参照しながら説明されたように、スクランブリングシーケンス選択モジュール９１０によって実行され得る。
【０１１８】
[0131]ブロック１６１５において、ＵＥ１１５は、図２〜図７を参照しながら説明されたように、識別されたスクランブリングシーケンスのうちの第１のスクランブリングシーケンスを使用して第１の送信の少なくとも一部分をデスクランブルする。いくつかの例では、ブロック１６１５の動作は、図９を参照しながら説明されたように、スクランブリングモジュール９１５によって実行され得る。
【０１１９】
[0132]ブロック１６２０において、ＵＥ１１５は、図２〜図７を参照しながら説明されたように、第１のスクランブリングシーケンスを使用した、第１の送信の少なくとも一部分の成功したデスクランブリングに少なくとも部分的に基づいて、第１の送信のために使用されるバンドリングレベルを決定する。いくつかの例では、ブロック１６２０の動作は、図９を参照しながら説明されたように、カバレージエンハンスメントモジュール９０５によって実行され得る。
【０１２０】
[0133]図１７は、本開示の様々な態様による、バンドルサイズ決定および早期終了のための方法１７００を示すフローチャートを示す。方法１７００の動作は、図１〜図１５を参照しながら説明されたように、ＵＥ１１５またはそれのコンポーネントによってインプリメントされ得る。たとえば、方法１７００の動作は、図８〜図１１を参照しながら説明されたように、ワイヤレス通信マネージャ８１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１７００はまた、図１６の方法１６００の態様を組み込み得る。
【０１２１】
[0134]ブロック１７０５において、ＵＥ１１５は、図２〜図７を参照しながら説明されたように、１つまたは複数の利用可能な復号方式を使用して、デスクランブルされた第１の送信の一部分を復号し、デスクランブルされた第１の送信の一部分が、第１の送信中に含まれる情報の第１の冗長バージョンを含む。いくつかの例では、ブロック１７０５の動作は、図１０を参照しながら説明されたように、コーディングモジュール１００５によって実行され得る。
【０１２２】
[0135]ブロック１７１０において、ＵＥ１１５は、図２〜図７を参照しながら説明されたように、情報が成功裏に復号されたかどうかを決定する。いくつかの例では、ブロック１７１０の動作は、図１０を参照しながら説明されたように、コーディングモジュール１００５によって実行され得る。
【０１２３】
[0136]ブロック１７１５において、ＵＥ１１５は、図２〜図７を参照しながら説明されたように、情報が成功裏に復号されたことに少なくとも部分的に基づいて、第１の送信の受信を終了すべきかどうかを決定する。いくつかの例では、ブロック１７１５の動作は、図１０を参照しながら説明されたように、コーディングモジュール１００５によって実行され得る。
【０１２４】
[0137]図１８は、本開示の様々な態様による、狭帯域通信のためのバンドルサイズ決定のための方法１８００を示すフローチャートを示す。方法１８００の動作は、図１〜図１５を参照しながら説明されたように、ＵＥ１１５またはそれのコンポーネントによってインプリメントされ得る。たとえば、方法１８００の動作は、図８〜図１１を参照しながら説明されたように、ワイヤレス通信マネージャ８１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法１８００はまた、図１６〜図１７の方法１６００、および１７００の態様を組み込み得る。
【０１２５】
[0138]ブロック１８０５において、ＵＥ１１５は、図２〜図７を参照しながら説明されたように、制御情報フィールド中で、１つまたは複数の共有チャネル送信において受信されるべき送信のためのバンドリングレベルを示すためのインジケータを受信し、バンドリングレベルが、１つまたは複数の共有チャネル送信中に含まれるべき情報の冗長バージョンの数を示す。いくつかの例では、ブロック１８０５の動作は、図１０を参照しながら説明されたように、シグナリングモジュール１０２５によって実行され得る。
【０１２６】
[0139]ブロック１８１０において、ＵＥ１１５は、図２〜図７を参照しながら説明されたように、受信される制御チャネル送信の第１のバンドリングレベルを決定する。いくつかの例では、ブロック１８１０の動作は、図９を参照しながら説明されたように、カバレージエンハンスメントモジュール９０５によって実行され得る。
【０１２７】
[0140]ブロック１８１５において、ＵＥ１１５は、図２〜図７を参照しながら説明されたように、第１のバンドリングレベルとインジケータとに少なくとも部分的に基づいて、第１の共有チャネル送信の第２のバンドリングレベルを決定する。いくつかの例では、ブロック１８１５の動作は、図９を参照しながら説明されたように、カバレージエンハンスメントモジュール９０５によって実行され得る。
【０１２８】
[0141]図１９は、本開示の様々な態様による、狭帯域通信のためのバンドルサイズ決定のための方法１９００を示すフローチャートを示す。方法１９００の動作は、図１〜図１５を参照しながら説明されたように、基地局１０５またはそれのコンポーネントによってインプリメントされ得る。たとえば、方法１９００の動作は、図１２〜図１５を参照しながら説明されたように、基地局ワイヤレス通信マネージャ１２１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法１９００はまた、図１６〜図１８の方法１６００、１７００、および１８００の態様を組み込み得る。
【０１２９】
[0142]ブロック１９０５において、基地局１０５は、図２〜図７を参照しながら説明されたように、受信機に送信されるべき情報を識別する。いくつかの例では、ブロック１９０５の動作は、図１３を参照しながら説明されたように、ＢＳ情報送信モジュール１３０５によって実行され得る。
【０１３０】
[0143]ブロック１９１０において、基地局１０５は、図２〜図７を参照しながら説明されたように、送信されるべき情報の冗長バージョンの数を示すバンドリングレベルを識別する。いくつかの例では、ブロック１９１０の動作は、図１３を参照しながら説明されたように、ＢＳカバレージエンハンスメントモジュール１３１０によって実行され得る。
【０１３１】
[0144]ブロック１９１５において、基地局１０５は、図２〜図７を参照しながら説明されたように、バンドリングレベルに少なくとも部分的に基づいて、情報の送信より前に情報をスクランブルするためのスクランブリングシーケンスを選択する。いくつかの例では、ブロック１９１５の動作は、図１３を参照しながら説明されたように、ＢＳスクランブリングシーケンス選択モジュール１３１５によって実行され得る。
【０１３２】
[0145]ブロック１９２０において、基地局１０５は、図２〜図７を参照しながら説明されたように、選択されたスクランブリングシーケンスに少なくとも部分的に基づいて情報をスクランブルする。いくつかの例では、ブロック１９２０の動作は、図１３を参照しながら説明されたように、ＢＳスクランブリングモジュール１３２０によって実行され得る。
【０１３３】
[0146]図２０は、本開示の様々な態様による、狭帯域通信のためのバンドルサイズ決定のための方法２０００を示すフローチャートを示す。方法２０００の動作は、図１〜図１５を参照しながら説明されたように、基地局１０５またはそれのコンポーネントによってインプリメントされ得る。たとえば、方法２０００の動作は、図１２〜図１５を参照しながら説明されたように、基地局ワイヤレス通信マネージャ１２１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法２０００はまた、図１６〜図１９の方法１６００、１７００、１８００、および１９００の態様を組み込み得る。
【０１３４】
[0147]ブロック２００５において、基地局１０５は、図２〜図７を参照しながら説明されたように、受信機に送信されるべき情報を識別する。いくつかの例では、ブロック２００５の動作は、図１３を参照しながら説明されたように、ＢＳ情報送信モジュール１３０５によって実行され得る。
【０１３５】
[0148]ブロック２０１０において、基地局１０５は、図２〜図７を参照しながら説明されたように、送信されるべき情報の冗長バージョンの数を示すバンドリングレベルを識別する。いくつかの例では、ブロック２０１０の動作は、図１３を参照しながら説明されたように、ＢＳカバレージエンハンスメントモジュール１３１０によって実行され得る。
【０１３６】
[0149]ブロック２０１５において、基地局１０５は、図２〜図７を参照しながら説明されたように、バンドリングレベルに少なくとも部分的に基づいて、情報の送信より前に情報をスクランブルするためのスクランブリングシーケンスを選択する。いくつかの例では、ブロック２０１５の動作は、図１３を参照しながら説明されたように、ＢＳスクランブリングシーケンス選択モジュール１３１５によって実行され得る。
【０１３７】
[0150]ブロック２０２０において、基地局１０５は、図２〜図７を参照しながら説明されたように、選択されたスクランブリングシーケンスに少なくとも部分的に基づいて情報をスクランブルする。いくつかの例では、ブロック２０２０の動作は、図１３を参照しながら説明されたように、ＢＳスクランブリングモジュール１３２０によって実行され得る。
【０１３８】
[0151]ブロック２０２５において、基地局１０５は、図２〜図７を参照しながら説明されたように、コーディング方式に従って、スクランブルされた情報をコーディングする。いくつかの例では、ブロック２０２５の動作は、図１４を参照しながら説明されたように、ＢＳコーディングモジュール１４０５によって実行され得る。
【０１３９】
[0152]ブロック２０３０において、基地局１０５は、図２〜図７を参照しながら説明されたように、コーディングされ、スクランブルされた情報を受信機に送信する。いくつかの例では、ブロック２０３０の動作は、図１０を参照しながら説明されたように、情報送信モジュール１０２０によって実行され得る。
【０１４０】
[0153]図２１は、本開示の様々な態様による、狭帯域通信のためのバンドルサイズ決定のための方法２１００を示すフローチャートを示す。方法２１００の動作は、図１〜図１５を参照しながら説明されたように、基地局１０５またはそれのコンポーネントによってインプリメントされ得る。たとえば、方法２１００の動作は、図１２〜図１５を参照しながら説明されたように、基地局ワイヤレス通信マネージャ１２１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。方法２１００はまた、図１６〜図２０の方法１６００、１７００、１８００、１９００、および２０００の態様を組み込み得る。
【０１４１】
[0154]ブロック２１０５において、基地局１０５は、図２〜図７を参照しながら説明されたように、制御チャネル送信において受信機に送信されるべき情報の冗長バージョンの数を示す第１のバンドリングレベルを識別する。いくつかの例では、ブロック２１０５の動作は、図９を参照しながら説明されたように、カバレージエンハンスメントモジュール９０５によって実行され得る。
【０１４２】
[0155]ブロック２１１０において、基地局１０５は、図２〜図７を参照しながら説明されたように、共有チャネル送信において受信機に送信されるべき情報の冗長バージョンの数を示す第２のバンドリングレベルを識別する。いくつかの例では、ブロック２１１０の動作は、図９を参照しながら説明されたように、カバレージエンハンスメントモジュール９０５によって実行され得る。
【０１４３】
[0156]ブロック２１１５において、基地局１０５は、図２〜図７を参照しながら説明されたように、第１のバンドリングレベルと第２のバンドリングレベルとに少なくとも部分的に基づいて、制御情報フィールド中で、第２のバンドリングレベルを示すためのインジケータを設定する。いくつかの例では、ブロック２１１５の動作は、図１３を参照しながら説明されたように、ＢＳシグナリングモジュール１３２５によって実行され得る。
【０１４４】
[0157]図２１は、本開示の様々な態様による、周波数ホッピング決定のための方法２１００を示すフローチャートを示す。方法２１００の動作は、図１〜図１５を参照しながら説明されたように、ＵＥ１１５またはそれのコンポーネントによってインプリメントされ得る。たとえば、方法２１００の動作は、図８〜図１１を参照しながら説明されたように、ワイヤレス通信マネージャ８１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法２２００はまた、図１６〜図２１の方法１６００、１７００、１８００、１９００、２０００、および２１００の態様を組み込み得る。
【０１４５】
[0158]ブロック２１０５において、ＵＥ１１５は、図２〜図７を参照しながら説明されたように、制御チャネル送信において受信機に送信されるべき情報の冗長バージョンの数を示す第１のバンドリングレベルを識別する。いくつかの例では、ブロック２１０５の動作は、図９を参照しながら説明されたように、カバレージエンハンスメントモジュール９０５によって実行され得る。
【０１４６】
[0159]ブロック２１１０において、ＵＥ１１５は、図２〜図７を参照しながら説明されたように、バンドリングレベルに基づいてホッピングパターンを識別する。いくつかの例では、ブロック２１１０の動作は、図１０を参照しながら説明されたように、ホッピングモジュール１０３０によって実行され得る。
【０１４７】
[0160]したがって、方法１６００、１７００、１８００、１９００、２０００、２１００、および２２００は、狭帯域通信のためのバンドルサイズ決定を与え得る。方法１６００、１７００、１８００、１９００、２０００、２１００および２２００は可能なインプリメンテーションを表すこと、ならびに動作およびステップは、他のインプリメンテーションが可能であるように、並べ替えられるかまたは場合によっては変更され得ることに留意されたい。いくつかの例では、方法１６００、１７００、１８００、１９００、２０００、２１００、および２２００のうちの２つまたはそれ以上からの態様が組み合わせられ得る。
【０１４８】
[0161]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたはコンポーネントを省略、置換、または追加し得る。また、いくつかの例に関して説明される特徴は、他の例において組み合わせられ得る。
【０１４９】
[0162]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術をインプリメントし得る。ＵＴＲＡおよびＥ−ＵＴＲＡは、ユニバーサルモバイルテレコミュニケーションズシステム（ＵＭＴＳ：Universal Mobile Telecommunication System）の一部である。３ＧＰＰ(登録商標)ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１５０】
[0163]本明細書で説明されるそのようなネットワークを含む、ＬＴＥ／ＬＴＥ−ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１５１】
[0164]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５２】
[0165]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１５３】
[0166]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１５４】
[0167]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１５５】
[0168]添付の図面に関して本明細書に記載される説明は、例示的な構成について説明しており、インプリメントされ得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０１５６】
[0169]添付の図では、同様のコンポーネントまたは特徴は同じ参照ラベルを有し得る。さらに、同じタイプの様々なコンポーネントは、参照ラベルの後に、ダッシュと、それらの同様のコンポーネントの間で区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのいずれにも適用可能である。
【０１５７】
[0170]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５８】
[0171]本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェアコンポーネント、あるいは本明細書で説明される機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としてもインプリメントされ得る。
【０１５９】
[0172]本明細書で説明される機能は、ハードウェア、プロセッサによって実行されるソフトウェア、ファームウェア、またはそれらの任意の組合せでインプリメントされ得る。プロセッサによって実行されるソフトウェアでインプリメントされる場合、機能は、１つまたは複数の命令またはコードとしてコンピュータ可読媒体上に記憶されるか、またはコンピュータ可読媒体を介して送信され得る。他の例およびインプリメンテーションは、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用してインプリメントされ得る。機能をインプリメントする特徴はまた、機能の部分が、異なる物理的ロケーションにおいてインプリメントされるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１６０】
[0173]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６１】
[0174]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2018529254.tif 000003
【図２】
2018529254.tif 000004
【図３】
2018529254.tif 000005
【図４】
2018529254.tif 000006
【図５Ａ】
2018529254.tif 000007
【図５Ｂ】
2018529254.tif 000008
【図６】
2018529254.tif 000009
【図７】
2018529254.tif 000010
【図８】
2018529254.tif 000011
【図９】
2018529254.tif 000012
【図１０】
2018529254.tif 000013
【図１１】
2018529254.tif 000014
【図１２】
2018529254.tif 000015
【図１３】
2018529254.tif 000016
【図１４】
2018529254.tif 000017
【図１５】
2018529254.tif 000018
【図１６】
2018529254.tif 000019
【図１７】
2018529254.tif 000020
【図１８】
2018529254.tif 000021
【図１９】
2018529254.tif 000022
【図２０】
2018529254.tif 000023
【図２１】
2018529254.tif 000024
【図２２】
2018529254.tif 000025
【国際調査報告】
2018529254.tif 000026
2018529254.tif 000027
2018529254.tif 000028